(57)【特許請求の範囲】
【請求項１】
ネットワークエンティティによるワイヤレス通信のための方法であって、
再割振りのために、第１の基地局に関連付けられた周波数分割複信（ＦＤＤ）動作モードにおける送信のために最初に割り振られたリソースのサブセットを識別することと、
前記識別されたリソースのサブセットを第２の基地局に関連付けられた時分割複信（ＴＤＤ）動作モードにおける送信のために再割り振りすることと、ここにおいて、前記識別されたリソースのサブセットが、ＦＤＤモードアップリンク（ＵＬ）帯域であり、前記ＦＤＤモードアップリンク（ＵＬ）帯域上でＰＵＳＣＨ／ＳＲＳ／ＰＲＡＣＨ送信がない場合、前記第２の基地局は前記ＦＤＤモードアップリンク（ＵＬ）帯域の中間部分で動作し得る、ここにおいて、前記第２の基地局に関連付けられた前記ＴＤＤ動作モードにおける前記送信が、ＴＤＤモードダウンリンク（ＤＬ）送信である、
を備える方法。
【請求項２】
前記第２の基地局が、前記第１の基地局と同じキャリア周波数上で動作するピコｅノードＢを備える、請求項１に記載の方法。
【請求項３】
前記第１の基地局に関連付けられた前記ＦＤＤ動作モードにおける送信のために最初に割り振られた前記識別されたリソースのサブセットが、１つまたは複数の物理アップリンク共有チャネル（ＰＵＳＣＨ）リソースに対応する、請求項１に記載の方法。
【請求項４】
前記第１の基地局に関連付けられた前記ＦＤＤ動作モードにおけるアップリンク（ＵＬ）送信のために最初に割り振られた追加のリソースを、変化するトラフィック需要に基づいて、前記第２の基地局に関連付けられた前記ＴＤＤ動作モードにおけるダウンリンク（ＤＬ）送信のために動的に再割り振りすること
をさらに備える、請求項１に記載の方法。
【請求項５】
制御シグナリングを、前記再割り振りされたリソースのサブセットを介してデータを受信すべきユーザ機器（ＵＥ）に送信すること
をさらに備える、請求項１に記載の方法。
【請求項６】
前記第２の基地局のＣＲＳ、ＣＳＩ−ＲＳ、ＰＤＣＣＨまたはＰＤＳＣＨのうちの少なくとも１つを前記再割り振りされたリソースのサブセットにマッピングさせること
をさらに備える、請求項１に記載の方法。
【請求項７】
前記第２の基地局からの前記送信のための前記再割り振りされたリソースのサブセットが、レガシーキャリアとともに使用するためのセカンダリコンポーネントキャリアの拡張キャリアを形成する、請求項１に記載の方法。
【請求項８】
前記第２の基地局が、前記第１の基地局と隣接するキャリア周波数上で動作するｅノードＢを備え、前記再割振りが、ＴＤＤ動作モードにおける前記第２の基地局に関連付けられた送信を前記第１の基地局に関連付けられた送信から分離するための所望のガード帯域に基づく、請求項１に記載の方法。
【請求項９】
ワイヤレス通信のための装置であって、
再割振りのために、第１の基地局に関連付けられた周波数分割複信（ＦＤＤ）動作モードにおける送信のために最初に割り振られたリソースのサブセットを識別するための手段と、
前記識別されたリソースのサブセットを第２の基地局に関連付けられた時分割複信（ＴＤＤ）動作モードにおける送信のために再割り振りするための手段と、ここにおいて、前記識別されたリソースのサブセットが、ＦＤＤモードアップリンク（ＵＬ）帯域であり、前記ＦＤＤモードアップリンク（ＵＬ）帯域上でＰＵＳＣＨ／ＳＲＳ／ＰＲＡＣＨ送信がない場合、前記第２の基地局は前記ＦＤＤモードアップリンク（ＵＬ）帯域の中間部分で動作し得る、ここにおいて、前記第２の基地局に関連付けられた前記ＴＤＤ動作モードにおける前記送信が、ＴＤＤモードダウンリンク（ＤＬ）送信である、
を備える装置。
【請求項１０】
ユーザ機器（ＵＥ）によるワイヤレス通信のための方法であって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信することと、
再割り振りされたリソースを介して時分割複信（ＴＤＤ）動作モードにおいて第２の基地局からダウンリンク送信を受信することと、ここにおいて、前記第１の基地局に関連付けられたアップリンク（ＵＬ）送信のために最初に割り振られたリソースが、ＦＤＤモードアップリンク（ＵＬ）帯域であり、前記ＦＤＤモードアップリンク（ＵＬ）帯域上でＰＵＳＣＨ／ＳＲＳ／ＰＲＡＣＨ送信がない場合、前記第２の基地局は前記ＦＤＤモードアップリンク（ＵＬ）帯域の中間部分で動作し得る、
を備える方法。
【請求項１１】
ワイヤレス通信のための装置であって、
周波数分割複信（ＦＤＤ）動作モードにおけるＵＥから、第１の基地局に関連付けられたアップリンク（ＵＬ）送信のために最初に割り振られたリソースの再割振りに関する制御シグナリングを受信するための手段と、
再割り振りされたリソースを介して時分割複信（ＴＤＤ）動作モードにおいて第２の基地局からダウンリンク送信を受信するための手段と、ここにおいて、前記第１の基地局に関連付けられたアップリンク（ＵＬ）送信のために最初に割り振られたリソースが、ＦＤＤモードアップリンク（ＵＬ）帯域であり、前記ＦＤＤモードアップリンク（ＵＬ）帯域上でＰＵＳＣＨ／ＳＲＳ／ＰＲＡＣＨ送信がない場合、前記第２の基地局は前記ＦＤＤモードアップリンク（ＵＬ）帯域の中間部分で動作し得る、
を備える装置。
【請求項１２】
請求項１乃至８または請求項１０のいずれかの方法に記載のステップを行うための命令を備える、コンピュータプログラム。
【発明の詳細な説明】
【技術分野】
【０００１】
相互参照
[0001]本特許出願は、本出願の譲受人に譲渡された、２０１４年９月８日に出願された「Ｆｌｅｘｉｂｌｅ  Ｔｒａｎｓｍｉｓｓｉｏｎｓ  ｏｎ  Ｏｎｅ  ｏｒ  Ｍｏｒｅ  Ｆｒｅｑｕｅｎｃｙ  Ｄｉｖｉｓｉｏｎ  Ｄｕｐｌｅｘｉｎｇ  Ｒｅｓｏｕｒｃｅｓ」という名称のＷｅｉらによるＰＣＴ出願第ＰＣＴ／ＣＮ２０１４／０８６０８７号の優先権を主張する。
【０００２】
[0002]本開示は、ワイヤレス通信システムに関し、より詳細には、１つまたは複数の周波数分割複信リソース上でのフレキシブル送信に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、各々が、場合によってはユーザ機器（ＵＥ）として知られる複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]ワイヤレス通信に対する需要全体は急速に増大しているが、アップリンク送信要件とダウンリンク送信要件との間で需要が対称的または静的であることはほとんどない。たとえば、ワイヤレス通信リンクを介してビデオを視聴しているユーザは、アップリンク容量よりもはるかに多くのダウンリンク容量を必要とする。一方、多くのユーザが他のユーザと共有するために関連する写真を同時にアップロードしようとする特定のイベント時などに、アップリンク容量が急増する場合もある。
【発明の概要】
【０００６】
[0006]説明する特徴は、一般に、１つまたは複数の周波数分割複信（ＦＤＤ）リソース上でのフレキシブル送信のための１つまたは複数の改善されたシステム、方法、および／または装置に関する。ＦＤＤ動作モードにおいて使用するために最初に割り振られた１つまたは複数のリソース（たとえば、時間リソースおよび／または周波数リソース）は、時分割複信（ＴＤＤ）動作モードに再割り振りされ得る。いくつかの実施形態では、リソースのある一定のセットは、アップリンク（ＵＬ）ＦＤＤ送信において使用するために最初に割り振られ得るが、それらのリソースのサブセットは、ダウンリンク（ＤＬ）ＴＤＤ送信のために再割り振りされ得、再割り振りされたＴＤＤ  ＤＬ送信リソースは、たとえば、トラフィックおよび／またはサービス品質（ＱｏＳ）考慮事項に基づいて、経時的に変化する。いくつかの実施形態では、再割り振りされたＤＬ送信リソースは、複数のＵＬサブフレームを備えることができ、ＵＬ  ＦＤＤ送信における送信のために最初に割り振られた複数のＵＬサブフレームのサブセットである。いくつかの実施形態では、再割り振りされたＤＬ送信リソースは、ＵＬ  ＦＤＤ送信のために最初に割り振られたいくつかのＵＬシンボルを備えることができる。別の例では、再割り振りされたＤＬ送信リソースは、物理アップリンク共有チャネル（ＰＵＳＣＨ）リソースのために最初に割り振られたリソースブロックのサブセットを備えることができる。ＴＤＤ  ＤＬ送信のために再割り振りされたリソースは、ＤＬトラフィックをユーザ機器（ＵＥ）に配信するために基地局によって利用され得、いくつかの例では、フレキシブルなリソース割振りは、潜在的な干渉源を低減するために使用され得る。
【０００７】
[0007]したがって、ワイヤレス通信のための方法が説明され、方法は、再割振りのために、第１の基地局に関連付けられたＦＤＤ動作モードにおける送信のために最初に割り振られたリソースのサブセットを識別することと、識別されたリソースのサブセットを第２の基地局に関連付けられたＴＤＤ動作モードにおける送信のために再割り振りすることとを含む。
【０００８】
[0008]また、ワイヤレス通信のための装置が説明され、装置は、再割振りのために、第１の基地局に関連付けられたＦＤＤ動作モードにおける送信のために最初に割り振られたリソースのサブセットを識別するための手段と、識別されたリソースのサブセットを第２の基地局に関連付けられたＴＤＤ動作モードにおける送信のために再割り振りするための手段とを含む。
【０００９】
[0009]また、ワイヤレス通信のための別の装置が説明され、装置は、プロセッサと、プロセッサと電子通信しているメモリと、メモリに記憶された１つまたは複数の命令とを含み、１つまたは複数の命令は、プロセッサによって、再割振りのために、第１の基地局に関連付けられたＦＤＤ動作モードにおける送信のために最初に割り振られたリソースのサブセットを識別し、識別されたリソースのサブセットを第２の基地局に関連付けられたＴＤＤ動作モードにおける送信のために再割り振りするように実行可能である。
【００１０】
[0010]また、ワイヤレスデバイスにおけるワイヤレス通信のための非一時的コンピュータ可読媒体が説明され、非一時的コンピュータ可読媒体は、再割振りのために、第１の基地局に関連付けられたＦＤＤ動作モードにおける送信のために最初に割り振られたリソースのサブセットを識別し、識別されたリソースのサブセットを第２の基地局に関連付けられたＴＤＤ動作モードにおける送信のために再割り振りするためのコンピュータ実行可能コードを記憶する。
【００１１】
[0011]方法、装置、および／またはコンピュータ可読媒体のいくつかの態様では、識別されたリソースのサブセットは、最初に割り振られたＦＤＤモードＵＬ帯域幅の中央部分を含み得、第２の基地局に関連付けられたＴＤＤ動作モードにおける送信は、ＴＤＤモードＤＬ送信であり得る。いくつかの例では、識別されたリソースのサブセットは、１つまたは複数の最初に割り振られたＰＵＳＣＨリソースに対応し得る。いくつかの態様では、第１の基地局に関連付けられたＦＤＤ動作モードにおける送信のために割り振られた残りのＵＬリソースは、１つまたは複数のガード帯域によって、識別されたリソースのサブセットから分離され得る。識別されたリソースのサブセットを第２の基地局に関連付けられたＴＤＤ動作モードにおける送信のために再割り振りすることは、識別されたリソースのサブセットを第２の基地局に関連付けられたＴＤＤ動作モードにおけるＤＬ送信のために再割り振りすることを含み得る。態様では、第２の基地局は、第１の基地局と同じキャリア周波数上で動作するピコｅノードＢを含み得る。上記で説明した方法、装置、またはコンピュータ可読媒体のいくつかの例は、第１の基地局に関連付けられたＦＤＤ動作モードにおけるＵＬ送信のために最初に割り振られた追加のリソースを、変化するトラフィック需要に基づいて、第２の基地局に関連付けられたＴＤＤ動作モードにおけるＤＬ送信のために動的に再割り振りするためのプロセス、特徴、手段、命令、またはコードをさらに含み得る。
【００１２】
[0012]いくつかの態様では、制御シグナリングは、再割り振りされたリソースのサブセットを介してデータを受信すべきＵＥへと送信され得る。制御シグナリングは、ＵＥ固有の無線リソース制御（ＲＲＣ）シグナリングおよび／またはＬ１シグナリングを使用して送信され得る。いくつかの態様では、識別することは、再割振りのために識別されたリソースのサブセットにおけるリソースブロックの数のパリティを、第１の基地局に関連付けられたＦＤＤ動作モードにおけるＵＬ送信のために最初に割り振られたリソースブロックの数のパリティと等しくすることを含み得る。いくつかの態様では、第２の基地局のＣＲＳ、ＣＳＩ−ＲＳ、ＰＤＣＣＨまたはＰＤＳＣＨのうちの少なくとも１つは、再割り振りされたリソースのサブセットにマッピングされ得る。
【００１３】
[0013]いくつかの態様では、第１の基地局に関連付けられたＦＤＤ動作モードにおける送信のために最初に割り振られたリソースは、いくつかのＵＬサブフレーム（たとえば、制限付きＵＬサブフレーム）を含み得、識別されたリソースのサブセットは、そのいくつかのＵＬサブフレーム（たとえば、制限付きＵＬサブフレーム）のサブセットを含み得る。いくつかのＵＬサブフレームのサブセットは、第１の基地局に関連付けられたいくつかのＵＬサブフレームのオールモストブランクサブフレーム（ＡＢＳ）に対応し得る。いくつかの態様では、識別されたリソースのサブセットは、第１の基地局に関連付けられたＦＤＤ動作モードにおける送信のために最初に割り振られた１つのＵＬサブフレーム中のシンボルの１つまたは複数の部分に対応し得る。いくつかの態様では、リソースのサブセットは、フレームごとにおよび／または時間期間に基づいて識別され、第２の基地局からの送信のために再割り振りされ得る。一例では、再割振りは、再構成期間（reconfiguration period）に少なくとも部分的に基づき得る。再構成期間は、Ｌ１シグナリングなどの上位レイヤシグナリングによって示されるように、８ｍｓ、１０ｍｓ、２０ｍｓ、４０ｍｓ、および／または８０ｍｓの周期で動的に決定され得る。場合によっては、再構成期間は、ＲＲＣシグナリングによって半静的に決定され得る。１つのサブフレーム中の混合ＵＬ／ＤＬの場合、ＵＬ／ＤＬ比の更新はサブフレームごとに実行され得る。いくつかの例では、第２の基地局からの送信のための識別されたリソースのサブセットは、サブフレームごとに再割り振りされ得る。たとえば、１つのサブフレーム中の混合ＵＬ／ＤＬの場合、ＵＬ／ＤＬ比の更新はサブフレームごとに実行され得る。再割振りは、ＵＬ制御要件、ＵＬトラフィック要件、ＤＬ制御要件、ＤＬトラフィック要件、および／またはサービス品質要件のうちの１つまたは複数に少なくとも部分的に基づき得る。いくつかの態様では、第２の基地局からの送信のための再割り振りされたリソースのサブセットは、レガシーキャリアとともに使用するためのセカンダリコンポーネントキャリア（ＳＣＣ）の拡張キャリアを形成し得る。
【００１４】
[0014]上記で説明した方法、装置、および／またはコンピュータ可読媒体のいくつかの態様では、第１の基地局に関連付けられたＦＤＤ動作モードにおける送信のために最初に割り振られた識別されたリソースのサブセットは、第１の基地局に関連付けられた送信のために最初に割り振られたＵＬサブフレームに関連付けられた１つまたは複数のシンボルを含み得る。いくつかの態様では、第１の基地局に関連付けられたＦＤＤ動作モードにおける送信のために最初に割り振られた識別されたリソースのサブセットは、１つのＵＬサブフレームに関連付けられた１つまたは複数のシンボルを含み得る。これらの場合、識別することおよび再割り振りすることは、サブフレームごとに実行され得、再割り振りすることは、ＵＬ制御要件、ＵＬトラフィック要件、ＤＬ制御要件、ＤＬトラフィック要件、およびサービス品質要件のうちの少なくとも１つに基づき得る。
【００１５】
[0015]いくつかの態様では、第１の基地局は、マクロｅノードＢまたはピコｅノードＢなどの第１のｅＮＢを含み得、第２の基地局は、ピコｅノードＢなどの第２のｅＮＢを含み得る。ガード期間は、いくつかの例では、第２の基地局における電力ランピング（power ramping）および／またはＵＬからＤＬへの切替え遅延を考慮するために、再割り振りされたリソースのサブセットに先行し得る。また、再割り振りされたリソースのサブセットを用いる後続のＵＬ送信との重複を防ぐために、低減された数のシンボルを有するスペシャルサブフレームがリソースの後に用いられ得、および／またはスペシャルサブフレームの後のガード期間が用いられ得、ここで、ガード期間は、第２の基地局とＵＥとの間の最大伝搬遅延の２倍、および／またはＵＥ  ＲＸ−ＴＸ間の切替え遅延に基づき得る。
【００１６】
[0016]上記で説明した方法、装置、またはコンピュータ可読媒体のいくつかの例は、タイミングオフセットを使用して、第２の基地局に関連付けられたＴＤＤ動作モードにおけるＵＬ送信を、第１の基地局に関連付けられたＦＤＤ動作モードにおけるＵＬ送信とアライメントさせるためのプロセス、特徴、手段、命令、またはコードをさらに含み得る。これらの例では、第２の基地局に関連付けられたＴＤＤ  ＤＬ送信は、第１の基地局に関連付けられたＦＤＤ  ＤＬ送信と比較して、タイミングオフセットだけ遅延され得る。
【００１７】
[0017]方法、装置、および／またはコンピュータ可読媒体のいくつかの態様では、電力ランピングおよび／またはＵＬからＤＬへの切替え遅延を考慮するために、再割り振りされたリソースのサブセットに先行するガード期間が用いられ得る。いくつかの態様では、いくつかの態様では、リソースを用いる後続のＵＬ送信との重複を防ぐために、低減された数のシンボルを有するスペシャルサブフレームが再割り振りされたリソースのサブセットの後に用いられ得、および／またはスペシャルサブフレームの後のガード期間が用いられ得、ここで、ガード期間は、第１の基地局とＵＥとの間の最大伝搬遅延の２倍、および／またはＵＥ  ＲＸ−ＴＸ間の切替え遅延に基づき得る。
【００１８】
[0018]いくつかの態様では、ＵＥによるワイヤレス通信のための方法が説明され、方法は、ＦＤＤ動作モードにおけるＵＥから、第１の基地局に関連付けられたＵＬ送信のために最初に割り振られたリソースの再割振りに関する制御シグナリングを受信することと、再割り振りされたリソースを介してＴＤＤ動作モードにおいて第２の基地局からＤＬ送信を受信することとを含む。
【００１９】
[0019]いくつかの態様では、ワイヤレス通信のための装置が説明され、装置は、ＦＤＤ動作モードにおけるＵＥから、第１の基地局に関連付けられたＵＬ送信のために最初に割り振られたリソースの再割振りに関する制御シグナリングを受信するための手段と、再割り振りされたリソースを介してＴＤＤ動作モードにおいて第２の基地局からＤＬ送信を受信するための手段とを含む。
【００２０】
[0020]いくつかの態様では、ワイヤレス通信のための装置が説明され、装置は、プロセッサと、プロセッサと電子通信しているメモリと、メモリに記憶された１つまたは複数の命令とを含み、１つまたは複数の命令は、プロセッサによって、ＦＤＤ動作モードにおけるＵＥから、第１の基地局に関連付けられたＵＬ送信のために最初に割り振られたリソースの再割振りに関する制御シグナリングを受信し、再割り振りされたリソースを介してＴＤＤ動作モードにおいて第２の基地局からＤＬ送信を受信するように実行可能である。
【００２１】
[0021]いくつかの態様では、ワイヤレスデバイスにおけるワイヤレス通信のための非一時的コンピュータ可読媒体が説明され、非一時的コンピュータ可読媒体は、ＦＤＤ動作モードにおけるＵＥから、第１の基地局に関連付けられたＵＬ送信のために最初に割り振られたリソースの再割振りに関する制御シグナリングを受信し、再割り振りされたリソースを介してＴＤＤ動作モードにおいて第２の基地局からＤＬ送信を受信するためのコンピュータ実行可能コードを記憶する。
【００２２】
[0022]方法、装置、および／またはコンピュータ可読媒体のいくつかの態様では、制御シグナリングは、ＲＲＣシグナリングおよび／またはＬ１シグナリングを含み得る。方法、装置、および／またはコンピュータ可読媒体のいくつかの態様では、ＦＤＤ動作モードにおけるＵＥからの、第１の基地局に関連付けられたＵＬ送信のために最初に割り振られた再割り振りされたリソースは、ＵＥから第１の基地局へのＦＤＤ  ＵＬ送信のためのＵＬ帯域幅の中央部分を含み得る。
【００２３】
[0023]上記では、以下の発明を実施するための形態がより良く理解され得るように、本開示による例の特徴および技術的利点をかなり広く概説した。追加の特徴および利点が以下で説明される。開示する概念および具体例は、本開示の同じ目的を実施するための他の構造を修正または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関して以下の説明を検討するとより良く理解されよう。図の各々は、例示および説明のみのために与えられ、特許請求の範囲の限定の定義として与えられるものではない。
【００２４】
[0024]本発明の性質と利点とについてのさらなる理解は、以下の図面を参照することによって達成され得る。添付の図において、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２５】
【図１】[0025]本開示の態様による、ワイヤレス通信システムの図。
【図２】[0026]本開示の態様による、別のワイヤレス通信システムの図。
【図３Ａ】[0027]本開示の態様による、リソース割振りのブロック図。
【図３Ｂ】[0028]本開示の様々な態様による、ワイヤレス通信システムの図。
【図４Ａ】[0029]本開示の態様による、リソース割振りのブロック図。
【図４Ｂ】[0030]本開示の態様による、異なる再構成期間を有するＨＡＲＱ送信の例を示す図。
【図４Ｃ】[0031]本開示の態様による、再構成の間のＬ１シグナリングによるＵＬ−ＤＬ構成の動的な変更を示す図。
【図４Ｄ】[0032]本開示の態様による、ＵＬリソースとＤＬリソースの両方が１つのサブフレーム中で混合されることを可能にし得る、ＴＤＭのための動的なＵＬ−ＤＬ構成の一例を示す図。
【図４Ｅ】[0033]本開示の態様による、混合ＵＬ／ＤＬ動作モードのために使用され得る３つの異なるタイプのサブフレームの例を示す図。
【図５】[0034]本開示の態様による、タイミングオフセットを使用したＴＤＤおよびＦＤＤ  ＤＬ同期を示すブロック図。
【図６】[0035]本開示の態様による、ワイヤレス通信において使用するために構成されたデバイスのブロック図。
【図７】[0036]本開示の態様による、ワイヤレス通信において使用するために構成された別のデバイスのブロック図。
【図８】[0037]本開示の態様による、ワイヤレス通信において使用するために構成された再割振りモジュールのブロック図。
【図９】[0038]本開示の態様による、ワイヤレス通信において使用するための基地局（たとえば、ｅＮＢの一部または全部を形成する基地局）のブロック図。
【図１０】[0039]本開示の態様による、ワイヤレス通信において使用するための装置のブロック図。
【図１１】[0040]本開示の態様による、ワイヤレス通信のための方法の一例を示すフローチャート。
【図１２】[0041]本開示の態様による、ワイヤレス通信のための別の方法の一例を示すフローチャート。
【図１３】[0042]本開示の態様による、ワイヤレス通信のための別の方法の一例を示すフローチャート。
【発明を実施するための形態】
【００２６】
[0043]今日の大半の周波数分割複信（ＦＤＤ）ワイヤレス通信システムは、異なる目的でいくつかの周波数帯域を静的に割り振る。たとえば、第１の周波数帯域は、（たとえば、物理アップリンク共有チャネル（ＰＵＳＣＨ）上で）アップリンク（ＵＬ）送信のために割り振られ得、第２の周波数帯域は、（たとえば、物理ダウンリンク共有チャネル（ＰＤＳＣＨ）上で）ダウンリンク（ＤＬ）送信のために割り振られ得、他の周波数リソースは、ブロードキャスト情報、制御シグナリングなどのために割り振られる。これらのリソースの静的な割振りは通常、各特定のシステムの予想される送信ニーズに基づくが、変化するトラフィック需要に応答して動作の間に変化しない。この割振りは通常、考えられる干渉問題、規制上の問題、ハードウェア要件問題などを含むいくつかの理由で、動作の間に固定される。しかし、変化するトラフィック需要に鑑みてリソース割振りを動的に調整しなければ、貴重なリソースが十分に利用されない場合がある。
【００２７】
[0044]したがって、本開示は、ワイヤレス通信システムにおいて利用可能な周波数リソースおよび／または時間リソースをより良く利用するために、１つまたは複数のＦＤＤリソース上でのフレキシブル送信に関する特徴を提供する。いくつかの態様によれば、第１の基地局に関連付けられたＦＤＤリソースのサブセットは、たとえば、動的に変化するＵＬおよび／またはＤＬワイヤレス通信ニーズに基づいて、第２の基地局に関連付けられた時分割複信（ＴＤＤ）動作モードにおける送信のための再割振りのために識別され得る。たとえば、特定のシステムにおいて、ＤＬ要求が予想よりも大きいが、ＵＬ要求が予想よりも小さい場合、ＦＤＤ  ＵＬ送信に最初に割り振られた、第１の基地局に関連付けられたリソースは、（たとえば、第１の基地局によって使用されていない余分のＦＤＤ  ＵＬ容量があるので）再割振りのために識別され得る。予備のＦＤＤ  ＵＬリソースは、たとえば、（たとえば、予想よりも高いＤＬ需要を満たすためのＤＬ送信のために）ＴＤＤ動作モードにおいて使用するための第２の基地局に再割り振りされ得る。いくつかの態様では、リソースの再割振りに関して、干渉軽減、フレキシブルなリソース割振り、および／または物理的制約のうちの１つまたは複数は、再割り振りされたリソース、たとえば、第２の基地局ＴＤＤリソースの使用が残りの第１の基地局ＦＤＤリソースに干渉する可能性を低減するために使用され得る。
【００２８】
[0045]以下の説明は例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２９】
[0046]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接的にまたは間接的に（たとえば、コアネットワーク１３０を通して）通信し得る。
【００３０】
[0047]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００３１】
[0048]いくつかの例では、ワイヤレス通信システム１００はＬＴＥ（登録商標）／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連付けられたキャリアもしくはコンポーネントキャリア、またはキャリアもしくは基地局のカバレージエリア（たとえば、セクタなど）を表すために使用され得る３ＧＰＰ（登録商標）用語である。
【００３２】
[0049]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、ライセンス（licensed）、アンライセンス（unlicensed）などの）周波数帯域内で動作し得る、低電力基地局である。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３３】
[0050]ワイヤレス通信システム１００は同期動作または非同期動作をサポートし得る。同期動作の場合、基地局は同様のフレームタイミングを有し得、異なる基地局からの送信は時間的にほぼアライメントされ得る。非同期動作の場合、基地局は異なるフレームタイミングを有し得、異なる基地局からの送信は時間的にアライメントされないことがある。本明細書で説明する技法は、同期動作または非同期動作のいずれかのために使用され得る。
【００３４】
[0051]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットセグメンテーションとリアセンブリとを実行し得る。媒体アクセス制御（ＭＡＣ）レイヤは、優先順位処理と、トランスポートチャネルへの論理チャネルの多重化とを実行し得る。ＭＡＣレイヤは、リンク効率を改善するために、ＭＡＣレイヤにおける再送信を行うためにハイブリッド自動再送要求（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３５】
[0052]ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３６】
[0053]ワイヤレス通信システム１００に示す通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることがあり、アップリンク送信は逆方向リンク送信と呼ばれることがある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。変調された各信号は、異なるサブキャリア上で送られ得、制御情報（たとえば、基準信号、制御チャネルなど）、オーバーヘッド情報、ユーザデータなどを搬送し得る。通信リンク１２５は、（たとえば、ペア（paired）スペクトルリソースを使用する）ＦＤＤ動作または（たとえば、アンペア（unpaired）スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００３７】
[0054]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を用いるための複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を用い得る。
【００３８】
[0055]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることがある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３９】
[0056]いくつかのリソース（たとえば、周波数リソースおよび／または時間リソース）は、ワイヤレス通信システム１００におけるいくつかのタイプのＵＬ／ＤＬ送信に割り振られ（たとえば、割り当てられ）得る。たとえば、ＦＤＤ動作モードでは、１つの基地局１０５は、ＵＬ送信に使用するためのある一定の周波数のセットと、ＤＬ送信に使用するための別個の周波数のセットとを割り振られ得る。以下でより詳細に説明するように、ＦＤＤ  ＵＬ送信に最初に割り振られたいくつかのリソース（たとえば、物理共有アップリンク共有チャネル（ＰＵＳＣＨ）リソースのいくつかまたはすべて）は、ＤＬトラフィック（たとえば、重いＤＬ送信トラフィック負荷）をサポートするために、機会主義的（opportunistically）に再利用され得る。たとえば、リソースのセットは、第１の基地局１０５に関連付けられたＦＤＤ  ＵＬ送信に最初に割り振られ得、それらのリソースのサブセットは、たとえば、使用されていないリソースのサブセット、リソースのサブセットに対するより優先度の高いニーズなどに基づいて、再割振りのために識別され得る。リソースのサブセットは、第１の基地局１０５、第２の基地局１０５によって識別され得、および／またはコアネットワーク１３０などによって識別され得る。リソースのサブセットが識別されると、リソースのサブセットは、たとえば、第２の基地局１０５に関連付けられた時分割複信（ＴＤＤ）動作モードにおける送信のために再割り振りされ得る。第２の基地局は、第１の基地局と同じキャリア周波数上で動作するピコｅノードＢであり得る。第２の基地局は、第１の基地局１０５の近隣であるおよび／または第１の基地局１０５と非コロケートである場合もあり、そうではない場合もある。
【００４０】
[0057]リソースのサブセットは、たとえば、ＵＬ制御および／またはデータトラフィック要件、ＤＬ制御および／またはデータトラフィック要件、サービス品質（ＱｏＳ）考慮事項、上記の組合せなどに基づいて識別され得る。態様では、再割り振りされたリソースのサブセットは、経時的に変化し得る。たとえば、いくつかの実施形態では、リソースのサブセットは、フレームごとに識別および／または再割り振りされ得、このことは、リソースを機会主義的に利用する際のフレキシビリティを可能にし得る。たとえば、再割振りは、再構成期間に少なくとも部分的に基づき得る。再構成期間は、Ｌ１シグナリングなどの上位レイヤシグナリングによって示されるように、８ｍｓ、１０ｍｓ、２０ｍｓ、４０ｍｓ、および／または８０ｍｓの周期で動的に決定され得る。場合によっては、再構成期間は、ＲＲＣシグナリングによって半静的に決定され得る。１つのサブフレーム中の混合ＵＬ／ＤＬの場合、ＵＬ／ＤＬ比の更新はサブフレームごとに実行され得る。いくつかの例では、第２の基地局からの送信のための識別されたリソースのサブセットは、サブフレームごとに再割り振りされ得る。たとえば、１つのサブフレーム中の混合ＵＬ／ＤＬの場合、ＵＬ／ＤＬ比の更新はサブフレームごとに実行され得る。他の例では、リソースのサブセットは、定義された時間期間の間（たとえば、１０フレーム、２０フレーム、１００フレーム、１，０００フレーム、１０，０００フレームなど）など、より低い頻度で識別および／または再割り振りされ得る。これらの例では、利用可能なリソースの利用はフレームごとの例の場合よりもフレキシブルではないことがあるが、より少ない計算および／または制御シグナリングが必要とされ得、このことは、たとえば、ＵＬトラフィック要件およびＤＬトラフィック要件の変化が短い時間期間にわたって大幅に変化しない場合、システムの全体的なスループットを高め得る。
【００４１】
[0058]図２は、本開示の様々な態様による、図１のワイヤレス通信システム１００の１つまたは複数の態様の一例であり得るワイヤレス通信システム２００の別の例を示す。図２のワイヤレス通信システム２００は、図１に示す基地局１０５の１つまたは複数の態様の例であり得る第１の基地局１０５−ａ−１と第２の基地局１０５−ａ−２とを含み、図１に示すＵＥ１１５の１つまたは複数の態様の例であり得る第１のＵＥ１１５−ａ−１と第２のＵＥ１１５−ａ−２とを含む。図２に示すように、第２の基地局１０５−ａ−２のカバレージエリア１１０−ａ−２は、実質的に第１の基地局１０５−ａ−１のカバレージエリア１１０−ａ−１内であり得る。
【００４２】
[0059]第１のＵＥ１１５−ａ−１は、たとえば、ＦＤＤ動作モードにおいて、第１の基地局１０５−ａ−１と（たとえば、ワイヤレス通信リンク１２５−ａ−１を介して）ワイヤレス通信していてもよい。したがって、第１のＵＥ１１５−ａ−１は、ＦＤＤ  ＵＬ通信に割り振られた周波数リソースのセットを使用してＵＬ通信を第１の基地局１０５−ａ−１に送信し得、第１の基地局１０５−ａ−１は、ＦＤＤ  ＤＬ通信に割り振られた周波数リソースのセットを使用してＤＬ通信を第１のＵＥ１１５−ａ−１に送信し得る。ＦＤＤ  ＵＬ周波数リソースおよびＦＤＤ  ＤＬ周波数リソースは、他のＵＥとのワイヤレス通信を行うために、第１の基地局１０５−ａ−１によって使用され得る（図２に示さず）。しかしながら、上記で説明したように、第１の基地局１０５−ａ−１に割り振られたＦＤＤリソースのいくつかまたはすべては十分に使用されないことがある。たとえば、第１のＵＥ１１５−ａ−１（および他のＵＥ）は、ＦＤＤ  ＵＬ周波数リソースを使用して第１の基地局１０５−ａ−１に送信するには比較的少ないデータを有し得る。追加または代替として、ＤＬリソースに対するより優先度の高いニーズがあり得る。たとえば、ＵＬリソースが十分に利用されていない場合でも、たとえば、圧倒的なＤＬ送信ニーズがあり得る、などである。
【００４３】
[0060]ＦＤＤ  ＵＬ送信において使用するための第１の基地局１０５−ａ−１に最初に割り振られたリソースのサブセットは、図２の第２の基地局１０５−ａ−２に関連付けられたＴＤＤ動作モードにおけるＤＬ送信のために再割り振りされ得る。再割り振りされたリソースは、ＴＤＤフォーマットでのＤＬ通信を、いくつかの例では、図２に示すように第２のＵＥ１１５−ａ−２に送信するために、または他の例では、第１のＵＥ１１５−ａ−１に送信するために、第２の基地局１０５−ａ−２によって使用され得る。いくつかの実施形態では、１．４ＭＨｚから２０ＭＨｚの間は、いずれかの基地局１０５−ａ−１、１０５−ａ−２において、ローディング（たとえば、ＵＬトラフィック需要および／またはＤＬトラフィック需要）に少なくとも部分的に基づいてＴＤＤフォーマットに動的に再割り振りされ得る。リソースの再割振りは、経時的に動的に変化し得る。たとえば、ある一定の時間期間の間、リソースが再割り振りされないことがあるが、他の時間期間において、異なる周波数および／または異なる時間スロットがＴＤＤフォーマットに再割り振りされ得る。
【００４４】
[0061]第２の基地局１０５−ａ−２は、図２に示すように、第１の基地局１０５−ａ−１の近隣であるが、それと非コロケートであってもよい。たとえば、再び図２を参照すると、第２の基地局１０５−ａ−２のカバレージエリア１１０−ａ−２は第１の基地局１０５−ａ−１のカバレージエリア１１０−ａ−１内に包含され得るが、第１の基地局１０５−ａ−１および第２の基地局１０５−ａ−２は同じ物理ロケーションに配置されていなくてもよい。未使用のリソースのサブセットを近隣であるが非コロケートの基地局に再割り振りすることによって、他の場合であれば再割り振りされたリソースのサブセットを使用するときに観測され得る基地局間および／またはＵＥ間の干渉が低減され得る。他の実施形態では、地理的制限、送信電力制限などを含む他のタイプの物理的制約が、リソースの再割振りに課され得る。さらに他の実施形態では、物理的制約が必要とされないことがあり、ＦＤＤ  ＵＬリソースは、たとえば、コロケートされた基地局またはセルに再割り振りされ得る。いくつかの例では、図２の第１の基地局１０５−ａ−１はマクロｅノードＢであり得るが、図２の第２の基地局１０５−ａ−２はピコｅノードＢであり得る。
【００４５】
[0062]別の例では、ワイヤレス通信システム２００は、第１の基地局１０５  ａ−１に関連付けられたキャリアアグリゲーションにおいて使用するためのプライマリセル（ＰＣｅｌｌ）および／またはセカンダリセル（ＳＣｅｌｌ）を含み得る。ＳＣｅｌｌの予備のＵＬリソースは、第２の基地局１０５−ａ−２上でのＤＬ送信のために再割り振りされ得る。第１の基地局のＤＬキャリアアグリゲーションのためのＨＡＲＱ肯定応答（ＨＡＲＱ−ＡＣＫ）フィードバックはＰＣｅｌｌ上で送信されるので、ＤＬリソースのためのこの再割振りは、第１の基地局のＤＬ送信のためのＨＡＲＱ−ＡＣＫフィードバックにほとんどまたはまったく影響を及ぼさないことがある。
【００４６】
[0063]さらに図２を参照すると、第１の基地局１０５−ａ−１に関連付けられたＦＤＤ  ＵＬ送信のために最初に割り振られたリソースの識別および再割振りは、第１の基地局１０５−ａ−１、第２の基地局１０５−ａ−２、コアネットワーク（図２に示さず）、および／または別のエンティティによって行われ得る。リソースが識別され、たとえば、第２の基地局１０５−ａ−２に関連付けられたＴＤＤ  ＤＬ送信のためにリソースを再割り振りするという決定が行われると、制御シグナリング（たとえば、半静的または動的な制御シグナリング）がワイヤレス通信システム２００の様々なエンティティのうちの１つまたは複数に与えられ得る。一例として、第２の基地局１０５−ａ−２は、再割り振りされたリソースのサブセットを介してＵＥ固有のＲＲＣシグナリングおよび／またはＬ１シグナリングを使用してデータを受信すべき第２のＵＥ１１５−ａ−２に、制御シグナリングを送信し得る。一実施形態では、異なる量の再割り振りされたリソース（たとえば、１．４ＭＨｚから２０ＭＨｚ）に対応するいくつかの異なる値（たとえば、ｎ６、ｎ１５、ｎ２５、ｎ５０、ｎ７５、ｎ１００）のうちの１つから選択するために、３ビットインジケータが使用され得る。また、別個の値（たとえば、ｎ０）は、（たとえば、リソースの再割振りを無効化するために）ＦＤＤ  ＵＬリソースが再割り振りされるべきではないことを示すために使用され得る。
【００４７】
[0064]制御シグナリングを第２のＵＥ１１５−ａ−２に与えることに加えて、制御シグナリングは、第１のＵＥ１１５−ａ−１がＵＬ通信を第１の基地局１０５−ａ−１に送信しようとしないように、第１のＵＥ１１５−ａ−１に与えられ得る。追加または代替として、第１の基地局１０５−１−ａ（たとえば、またはコアネットワーク）が再割振りのためにリソースを識別する場合、第１の基地局１０５−ａ−１（たとえば、またはコアネットワーク）は、第２の基地局１０５−ａ−２が第２のＵＥ１０５−ａ−２と通信する際に使用し得る追加のリソースを第２の基地局に通知する制御シグナリングを第２の基地局１０５−ａ−２に与え得る。受信された制御シグナリングに少なくとも部分的に基づいて、第２の基地局１０５−ａ−２は、第２の基地局１０５−ａ−２に関連付けられたセル固有の基準信号（ＣＲＳ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）のうちの少なくとも１つを再割り振りされたリソースのサブセットにマッピングし得る。
【００４８】
[0065]第２の基地局に関連付けられたＴＤＤ送信のために再割り振りされたリソースのサブセットは、いくつかの実施形態では、別個のレガシーキャリア（たとえば、Ｒｅｌ−１０キャリア）とともに使用するためのセカンダリコンポーネントキャリア（ＳＣＣ）の拡張キャリアを形成し得る。一実施形態では、第１の基地局はＤＬ送信のためのプライマリコンポーネントキャリア（ＰＣＣ）として構成され、第２の基地局はＴＤＤ  ＤＬフォーマットを有するＳＣＣとして構成される。フレキシブルな複信をサポートするＵＥ１１５は、（たとえば、ＰＣｅｌｌ用に構成された）第１の基地局にキャンプオンし得る。基地局１０５とＵＥ１１５との間でＲＲＣ接続がセットアップされた後、ＵＥは、追加の無線リソースをＤＬ送信に与えるために、ＦＤＤ  ＵＬ周波数帯域上のＴＤＤ  ＳＣｅｌｌで構成され得る。ＵＬ周波数帯域におけるＴＤＤ帯域幅は、ＦＤＤ  ＵＬ帯域幅と同じである場合も同じでない場合もあり、および／または時間領域において適応される場合がある。ＴＤＤ  ＳＣｅｌｌは、たとえば、ＭＡＣシグナリングを使用して、アクティブ化または非アクティブ化され得る。ＴＤＤ  ＳＣｅｌｌが非アクティブ化される場合、ＵＥは第１の基地局のためのＵＬ周波数帯域における通常のＵＬ送信を想定し得る。
【００４９】
[0066]上記の説明では、２つの別個の基地局１０５−ａ−１、１０５−ａ−２と２つの別個のＵＥ１１５−ａ−１、１１５−ａ−２とを有する、図２に示した構成を広く概説したが、他の構成が使用され得る。一代替実施形態では、第１の基地局１０５−ａ−１からのＦＤＤ  ＵＬリソースは、第２の基地局１０５−ａ−２からのＴＤＤ  ＤＬ送信のために再割り振りされ得るが、単一のＵＥ１１５−ａ−１のみが関係し得る。たとえば、単一のＵＥ１１５−ａ−１が比較的大量のＤＬ送信を必要とするがＵＬ送信をほとんど必要としない場合、第１の基地局１０５−ａ−１に関連付けられたＦＤＤ  ＵＬリソースは、追加のＤＬ送信を単一のＵＥ１１５−ａ−１に与える際に使用するための第２の基地局１０５−ａ−２に再割り振りされ得る。代替実施形態のさらに別の例として、単一の基地局１０５−ａ−１のみが使用され得、ＦＤＤ  ＵＬリソースは、単一の基地局１０５−ａ−１から１つまたは複数のＵＥ１１５−ａ−１、１１５−ａ−２へのＴＤＤ  ＤＬ送信のために再割り振りされる。
【００５０】
[0067]図３Ａおよび図４Ａは、本開示の様々な態様による、図１および／または図２のワイヤレス通信システム１００および／または２００において使用するためのリソース割振りの２つの例のブロック図３００、４００を示す。まず図３Ａを参照すると、フレキシブルな周波数リソース割振りを使用するリソース再割振りの一例が示されており、ＤＬ送信およびＵＬ送信に割り振られる周波数リソースは、経時的に変化する。（たとえば、フレームまたは概して任意の時間期間であり得る）３つの異なる時間期間３０５、３１０、３１５の各々について、ＦＤＤ動作モードにおける送信のために最初に割り振られた周波数リソースのセットが示されている。上記で説明したように、リソースのセットは、図２の第１の基地局１０５−ａ−１に関連付けられたＦＤＤ  ＵＬ送信のために最初に割り振られ得る。しかしながら、図３Ａに示すように、周波数リソースの再割り振りされたリソースのサブセット３２０−ａ−１は、第１の時間期間３０５の間に、ＴＤＤ動作モードにおけるＤＬ送信のために再割り振りされる。再割り振りされたＴＤＤ  ＤＬリソースは、たとえば、図２の第２の基地局１０５−ａ−２によって使用され得、第２の基地局１０５−ａ−２は、いくつかの例では、第１の基地局と同じキャリア周波数上で動作するピコｅノードＢであり得る。
【００５１】
[0068]しかしながら、ＦＤＤ  ＵＬリソースのセット全体は、ＴＤＤ  ＤＬ送信のために再割り振りされないことがある。代わりに、残りのＦＤＤ  ＵＬリソース３２５−ａ−１、３３０−ａ−１が、１つまたは複数のそれぞれのガード帯域（ＧＢ）３３５によって、再割り振りされたリソースのサブセット３２０−ａ−１から分離され得る。再割り振りされたリソース３２０−ａ−１を残りのリソース３２５−ａ−１、３３０−ａ−１から分離するためにガード帯域３３５を使用することは、再割り振りされたリソース３２０−ａ−１を用いるＤＬ送信から残りのリソース３２５−ａ−１、３３０−ａ−１への干渉を低減し得、その逆も同様である。追加または代替として、再割り振りされたＴＤＤ  ＤＬリソースによる残りのＦＤＤ  ＵＬリソース３２５−ａ−１、３３０−ａ−１に対する干渉は、再割り振りされたＴＤＤ  ＤＬリソースを使用してデータを送信するために第２の基地局によって使用される送信電力を低減することによって、および／または残りのＦＤＤ  ＵＬリソースを用いる一方でＵＥ１１５によって使用される送信電力を増加することによって、低減され得る。一例では、ＴＤＤ  ＤＬ送信電力は、第１の基地局１０５−ａ−１において第２の基地局１０５−ａ−２のＴＤＤ  ＤＬ送信から観測される電力が、第１の基地局１０５−ａ−１へのＵＬ送信のために残りのリソースのサブセットを使用しているそれらのＵＥから観測されるであろう電力よりも著しく多くないように、低減され得る。このようにして、他の場合であればＴＤＤ  ＤＬ送信のためにリソースのサブセット３２０−ａ−１を再割り振りすることから生じる可能性がある干渉がさらに低減され得る。
【００５２】
[0069]再割り振りされたリソースのサブセット３２０−ａ−１の帯域幅は、経時的に変化し得る。たとえば、第２の時間期間３１０の間、再割り振りされたリソースのサブセット３２０−ａ−２の帯域幅は、第１の時間期間３０５の間よりも小さいことがあるが、第３の時間期間３１５の間、リソースのサブセット３２０−ａ−３の帯域幅は再び増加することがある（たとえば、残りのリソース３２５−ａ−２、３３０−ａ−２、３２５−ａ−３、３３０−ａ−３の帯域幅が第２の時間期間３１０の間に増加し、第３の時間期間３１５の間に再び減少する）。上記で説明したように、再割振りのために利用可能なおよび／または必要なリソースの量は、たとえば、ＵＬ／ＤＬトラフィック要件、ＱｏＳ考慮事項などに基づいて、経時的に変動し得る。
【００５３】
[0070]いくつかの実施形態では、図３Ａに示すように、再割り振りされたリソースのサブセット３２０−ａ−１は、ＦＤＤ  ＵＬ周波数帯域の中間または中央部分であり得る。このようにして、帯域エッジリソースブロック（ＲＢ）は、第１の基地局１０５−ａ−１における物理アップリンク制御チャネル（ＰＵＣＣＨ）送信が別の基地局に関連付けられたＴＤＤ  ＤＬ送信のためのリソースの中間部分の再割振りによって影響を受けないように、ＦＤＤ  ＵＬリソースとして残り得る。いくつかの実施形態では、再割り振りされたリソースのサブセットにおけるＲＢの数のパリティは、ＦＤＤ  ＵＬ送信のために最初に割り振られたＲＢの数のパリティと等しくてもよい。たとえば、第１の時間期間３０５の間にＦＤＤ  ＵＬ送信に最初に割り振られたＲＢの総数が偶数である場合、ＴＤＤ  ＤＬ送信のために再割り振りされたＲＢの数も偶数であり得る。
【００５４】
[0071]まだ図３Ａを参照すると、ＴＤＤセル（たとえば、またはＴＤＤ基地局）がＤＬ送信のためにＵＬスペクトルを利用するＦＤＤ  ＵＬ周波数帯域上でリソースを使用するように構成されるいくつかの例では、ＴＤＤ基地局は、近隣セルにおけるＦＤＤ上でのＰＵＳＣＨ／ＳＲＳ／ＰＲＡＣＨ送信がない場合、サブフレーム内の中央帯域幅（たとえば、ＦＤＤ  ＵＬ周波数帯域の中間部分、たとえば、３２０−ａ）で動作し得る。これらの例では、近隣セルにおけるＦＤＤ上でのＰＵＣＣＨ送信は、エッジにおける対応するリソース（たとえば、帯域エッジＲＢ）がいかなるサブフレームにおいてもＴＤＤ基地局によって使用されないので、無中断であり得る。いくつかの実施形態では、ＴＤＤ基地局のための中央帯域幅は、ＲＲＣシグナリングおよび／またはＬ１シグナリングを使用して動的に構成され得る。
【００５５】
[0072]図３Ｂは、本開示の様々な態様による、図１および／または図２のワイヤレス通信システム１００および／または２００の１つまたは複数の態様の一例であり得るワイヤレス通信システム３５０の別の例を示す。図３Ｂのワイヤレス通信システム３５０は、図１および／または図２に示す基地局１０５の１つまたは複数の態様の例であり得る第１の基地局１０５−ａ−３と第２の基地局１０５−ａ−４とを含み、図１および／または図３に示すＵＥ１１５の１つまたは複数の態様の例であり得る第１のＵＥ１１５−ａ−３と第２のＵＥ１１５−ａ−４とを含む。図３Ｂに示すように、第１の基地局１０５−ａ−３のカバレージエリア１１０−ａ−３は、第２の基地局１０５−ａ−４のカバレージエリア１１０−ａ−４と重複し得る。
【００５６】
[0073]いくつかの例では、第１の基地局１０５−ａ−３および第２の基地局１０５−ａ−４の各々は、スモールセル（たとえば、ピコセル）に関連付けられ得る。たとえば、第１の基地局１０５−ａ−３は第１のピコセル（たとえば、セル−１）に関連付けられ得、第２の基地局１０５−ａ−４は第２のピコセル（たとえば、セル−２）に関連付けられ得る。図３Ｂに示すように、いくつかの例では、第２のＵＥ１１５−ａ−４は、ＦＤＤ動作モードにおいて第２の基地局１０５−ａ−４とワイヤレス通信していてもよい。したがって、第２のＵＥ１１５−ａ−４は、ＦＤＤ  ＵＬ通信に割り振られた周波数リソースのセットを使用してＵＬ通信３７２を第２の基地局１０５−ａ−４に送信し得、第２の基地局１０５−ａ−４は、ＦＤＤ  ＤＬ通信に割り振られた周波数リソースのセットを使用してＤＬ通信３８２を第２のＵＥ１１５−ａ−４に送信し得る。示すように、第１のＵＥ１１５−ａ−３が、ＦＤＤ  ＤＬフォーマット３８４を有するプライマリセル（ＰＣｅｌｌ）で構成され、ＴＤＤ  ＤＬフォーマット３７４を有するセカンダリセル（ＳＣｅｌｌ）でも構成され（たとえば、ただし、ＤＬ送信のために再割り振りされたＵＬ  ＦＤＤ周波数帯域を使用するように構成され）得るいくつかの例では、第１の基地局１０５−ａ−３からのＤＬ送信は、第２のＵＥ１１５−ａ−４と第２の基地局１０５−ａ−４との間のＵＬ送信に干渉し得る。たとえば、ＴＤＤ  ＤＬフォーマットを有するＳＣｅｌｌがアクティブ化されるとき、第１の基地局は、再割り振りされたＵＬ周波数帯域を使用することによって、第２の基地局１０５−ａ−４と同じ周波数を使用し得る。ＵＬ周波数帯域上の基地局間の干渉３５５および／またはＵＬ周波数帯域上のＵＥ間の干渉３５８を回避するために、たとえば、ＵＬ帯域幅３６０の一部分３６２のみがＴＤＤ  ＤＬ送信のために使用され得る。このようにして、第１の基地局１０５−ａ−３（たとえば、セル−１）によるＵＬ周波数帯域上でのＴＤＤ  ＤＬ送信は、図３Ａを参照しながら上記で説明した帯域エッジＲＢを使用し得る、第２の基地局１０５−ａ−４（セル−２）と第２のＵＥ１１５−ａ−４との間のＦＤＤ  ＵＬ周波数帯域上でのＰＵＣＣＨ送信３６４を中断しない。いくつかの態様では、第２の基地局１０５−ａ−４は、第１の基地局と同じキャリア周波数上で動作するｅノードＢまたは第１の基地局と隣接するキャリア周波数上で動作するｅノードＢを備える。
【００５７】
[0074]次に図４Ａを参照すると、時分割多重（ＴＤＭ）を使用するリソース再割振りの一例が示されており、ＦＤＤ  ＵＬリソースの再割振りは、経時的に変化する。図４Ａでは、ＦＤＤ動作モードにおける送信のために最初に割り振られたリソースは、いくつかのＦＤＤ  ＵＬサブフレーム４０５と、ＴＤＤ  ＤＬ送信のために再割り振りされた１つまたは複数のサブセット４１５、４２０とを含む。一実施形態では、１つまたは複数のサブセット４１５、４２０は、予約済みサブフレーム、たとえば、図２の第１の基地局１０５−ａ−１などの第１の基地局に関連付けられたＦＤＤ  ＵＬサブフレーム４０５のオールモストブランクサブフレーム（ＡＢＳ）に対応し得る。
【００５８】
[0075]ＴＤＤ  ＤＬ送信のためのサブフレームは、ＲＲＣシグナリングおよび／またはＬ１シグナリングのいずれかによって構成され得る。ＲＲＣシグナリングの場合、周期的なＵＬサブフレーム（たとえば、ＡＢＳ  ＵＬサブフレーム）のセットは、ＴＤＤセルのＤＬリソースのために構成され得る。Ｌ１シグナリングの場合、たとえば、周期は、拡張干渉管理およびトラフィック適応（ｅＩＭＴＡ：enhanced interference management and traffic adaptation）において使用される技法と同様に、再構成期間の間に上位レイヤシグナリングによって構成され得る。Ｌ１シグナリングは、再構成期間ごとの動的なＤＬサブフレームのセットを示し得る。
【００５９】
[0076]図４Ｂおよび図４Ｃは、本開示の態様によるＵＬ−ＤＬサブフレーム再割振り（たとえば、再構成）の例を示す。図４Ｂは、異なる再構成期間を有するＨＡＲＱ送信の例４２５、４３０を示す。第１の例４２５は、ＴＤＤ  ｅＩＭＴＡにおいて使用されるものと同様に、１０ｍｓ再構成期間の倍数が使用される場合を示す。１０ｍｓ周期を有する第１の例４２５は、無線フレームごとに、いくつかのダウンリンク（Ｄ）サブフレーム４２２と、いくつかのアップリンク（Ｕ）サブフレーム４２４と、スペシャル（Ｓ）サブフレーム４２６とを含む。８ｍｓ周期を有する第２の例４３０は、いくつかのアップリンク（Ｕ）４２４サブフレームと、いくつかのダウンリンク／アップリンク（Ｄ／Ｕ）サブフレーム４２８とを含む。第１の例４２５では、再構成期間の間の（たとえば、ＨＡＲＱ一時停止４３７を引き起こす）ＨＡＲＱ送信４３５との競合により、次のアップリンクサブフレーム（Ｕ）送信まで４０ｍｓの遅延が生じ得る。ただし、再構成期間は構成可能である。このようにして、例４３０に示すように、ＨＡＲＱ送信と競合しない再構成期間が選択され得る。たとえば、ＴＤＤ  ｅＩＭＴＡとは異なり、再構成期間は、１０、２０、４０、または８０ｍｓに加えて、８ｍｓ（たとえば、または２ｍｓまたは２ｍｓの倍数である４ｍｓ）であり得る。８ｍｓの再構成期間が使用されるとき、レガシーＵＥのＵＬ再送信は、再構成の間に無中断であり得る。
【００６０】
[0077]上記で説明したように、ＴＤＤ  ＤＬ送信のためのサブフレームは、ＲＲＣシグナリングまたはＬ１シグナリングのいずれかによって構成され得る。図４Ｃは、本開示の態様による、再構成の間のＬ１シグナリングを介したＵＬ−ＤＬ構成の動的な変更を示す。Ｌ１シグナリングの解釈は、構成された再構成期間に依存する。たとえば、再構成期間が１０、２０、４０または８０ｍｓであるとき、ＴＤＤ  ｅＩＭＴＡにおいて使用されるものと同様に、ダウンリンク（Ｄ）送信のためのアップリンク（Ｕ）サブフレームのセットを示すために、７つのＴＤＤ  ＵＬ−ＤＬ構成に対応する３ビットシグナリングが使用され得る。８ｍｓの再構成期間の場合、再構成期間４５０におけるアップリンク（Ｕ）サブフレームのセットを示すために、３ビットシグナリング４４０、４４１、または４４２が使用され得る。以下の表は、８ｍｓの再構成期間の３ビットＬ１シグナリングのために使用され得る値とサブフレームオフセットとのマッピングを与えるものである。固定ＵＬサブフレーム４３２は、すべての考えられる構成の共通ＵＬサブフレームとして定義され得、ＵＬ  ＨＡＲＱ−ＡＣＫフィードバックを送信するために使用され得る。
【表１】
0006672271.tif 000002
【００６１】
[0078]ＰＣｅｌｌ  ＦＤＤ  ＤＬがプライマリコンポーネントキャリア（ＰＣＣ）用に構成されるキャリアアグリゲーションでは、ＴＤＤセルは、追加の無線リソースをＤＬ送信に与えるために、ＳＣｅｌｌとして構成され得る。たとえば、ＦＤＤ  ＤＬトラフィックがバースト（bursty）である場合、ＴＤＤセルは、ＤＬ送信において使用するための追加のリソースを構成し得る。いくつかの実施形態では、ＴＤＤ  ＳＣｅｌｌは、ＭＡＣシグナリングによってアクティブ化または非アクティブ化され得る。ＴＤＤ  ＳＣｅｌｌがアクティブ化される場合、ＵＥは、無線フレームごとにＰＣｅｌｌ  ＦＤＤ  ＵＬ周波数帯域から再割り振りされたＳＣｅｌｌからのＤＬサブフレームのロケーションについてＬ１シグナリングを監視し得る。
【００６２】
[0079]次に図３と図４の両方を参照すると、いくつかの実施形態では、周波数分割多重（ＦＤＭ）リソース再割振り技法と時分割多重（ＴＤＭ）リソース再割振り技法が組み合わせられ得る。たとえば、いくつかのＦＤＤ  ＵＬサブフレームでは、リソースが再割振りのために利用可能ではないことがあるが、他のサブフレームでは、ＦＤＤ  ＵＬリソースのいくつかまたはすべてが利用可能であり得る。この例では、ＴＤＭリソース割振りは、ＴＤＤ  ＤＬ送信への割振りのために利用可能なリソースを有するそれらのフレームを、割振りのために利用可能なリソースがないそれらのフレームから分離するために使用され得る。しかしながら、リソースが再割振りのために利用可能であるそれらのフレームにおいても、ＦＤＤ  ＵＬ帯域全体が、ＴＤＤ  ＤＬ送信のための再割振りのために利用可能ではないことがある。これらのフレームでは、ＦＤＭリソース割振りは、残りのＦＤＤ  ＵＬリソースを再割り振りされたＴＤＤ  ＤＬ送信から分離するために使用され得る。
【００６３】
[0080]図４Ｄは、本開示の態様による、ＵＬリソースとＤＬリソースの両方が１つのサブフレーム中で混合されることを可能にし得る、ＴＤＭのための動的なＵＬ−ＤＬ構成の例４５５を示す。ＵＬ周波数帯域４５７の場合、ＵＬサブフレームの少なくとも一部がＤＬデータ送信４５８のために動的に使用され得、ＵＬサブフレームの一部がＵＬ周波数帯域４５７上でのＨＡＲＱ−ＡＣＫ送信４５９のために使用され得る。このようにして、ＤＬ／ＵＬ  ＨＡＲＱタイミング上の変更がないことがある。たとえば、サブフレームｎにおけるＤＬ送信に対応するＵＬ  ＨＡＲＱ−ＡＣＫは、サブフレームｎ＋Ｋにおいて送信され得、ここで、たとえば、Ｋは４ｍｓであり得る。ガード期間（ＧＰ）４２９は、ＵＬ送信とＤＬ送信との間および／またはＤＬ送信とＨＡＲＱ−ＡＣＫ送信４５９との間で構成され得る。
【００６４】
[0081]図４Ｅは、本開示の態様による、混合ＵＬ／ＤＬ動作モードのために使用され得る３つの異なるタイプのサブフレーム４８０、４８５、４９０の例４６０を示す。図４Ｅに示すように、たとえば、混合ＵＬ／ＤＬ構成についてＵＬ周波数帯域上に３つのタイプのサブフレームがあり得る。タイプ１  ４８０は、フルＵＬサブフレームと呼ばれることがある。タイプ１  ４８０は、ＵＬのみの送信のために使用され得る。タイプ２  ４８５は、フルＤＬサブフレームと呼ばれることがある。タイプ２  ４８５は、ＤＬのみの送信のために使用され得る。タイプ３  ４９０は、混合ＵＬおよびＤＬサブフレームと呼ばれることがある。タイプ３では、サブフレームの一部がＤＬ送信のために使用され得、サブフレームの一部がＨＡＲＱ−ＡＣＫフィードバック送信などのＵＬ送信のために使用され得る。ガード期間（ＧＰ）４４４は、タイプ３サブフレームのＤＬ送信とＵＬ送信との間で構成され得る。
【００６５】
[0082]すべての３つのタイプのサブフレーム４８０、４８５、４９０では、後続のサブフレームが異なる送信方向を有する場合、追加のガード期間（ＧＰ）４２９がサブフレームの末尾に追加され得る。サブフレームタイプ３  ４９０の場合、ＤＬ送信の持続時間は、１シンボルから１２シンボルに動的に構成され得る（たとえば、ＧＰ用に少なくとも１つのシンボルを予約し、ＵＬ  ＨＡＲＱ−ＡＣＫ用に１つのシンボルを予約する）。
【００６６】
[0083]いくつかの実施形態では、追加のＬ１シグナリングは、サブフレームタイプおよび／またはサブフレームの末尾における追加のＧＰ４２９の存在を示すために使用され得る。たとえば、サブフレームｎ−１中のＬ１シグナリングは、サブフレームｎのサブフレームタイプおよび／またはサブフレームｎ中に追加のＧＰ４２９があるかどうかを示すために使用され得る。サブフレームｎがタイプ２サブフレームまたはタイプ３サブフレームである場合、ＵＥはＤＬ  ＰＤＳＣＨ送信および／またはＤＬ  ＰＤＣＣＨ送信のＤＬ周波数帯域とＵＬ周波数帯域の両方を監視する必要があり得る。
【００６７】
[0084]図５は、本開示の態様による、ＴＤＤおよびＦＤＤ  ＤＬ同期を示すブロック図５００を示す。図５に示すように、ＵＬ帯域上でのＴＤＤ  ＤＬ送信は、ＤＬ帯域上でのＦＤＤ  ＤＬ送信と比較して、固定のタイミングオフセット５０５だけ遅延され得る。この遅延は、ＴＤＤ  ＵＬ送信とＦＤＤ  ＵＬ送信をアライメントさせるために使用され得る。この例では、低減された数のシンボルを有するスペシャルサブフレーム５１５は、たとえば、後続のＦＤＤ  ＵＬ送信のための再割り振りされたリソースのサブセットを用いるＴＤＤ  ＤＬ送信からの干渉を防ぐのを助けるために、割り振られていないＵＬサブフレームに先行して用いられ得る。ガード期間（ＧＰ）５２０は、スペシャルサブフレーム５１５中で用いられ得、ＧＰ５２５の長さは、図２の第２の基地局１０５−ａ−２と第２のＵＥ１１５−ａ−２との間の最大伝搬遅延の２倍に基づき得る、および／またはＵＥの受信送信間切替え遅延に基づき得る。いくつかの実施形態では、ＵＬサブフレーム５２０の後に第２のガード期間５３０がさらに用いられ得、第２のガード期間５３０の長さは、ｅＮＢの受信送信間切替え遅延に基づき得る。このようにして、ＴＤＤ  ＵＬ送信はＦＤＤ  ＵＬ送信とアライメントされ、ＴＤＤ  ＤＬ送信は、ＦＤＤ  ＤＬ帯域上でのＦＤＤ  ＤＬ送信と比較して、１つの特定のタイミングオフセット５０５だけ遅延される。
【００６８】
[0085]図６は、本開示の様々な態様による、図１および図２に示すワイヤレス通信システム１００、２００におけるワイヤレス通信において使用するためのデバイス６０５のブロック図６００を示す。デバイス６０５は、図１もしくは図２を参照しながら上記で説明した基地局１０５の１つもしくは複数の態様の一例、および／または図１を参照しながら上記で説明したコアネットワーク１３０の１つもしくは複数の態様の一例であり得る。デバイス６０５は、受信機モジュール６１０、再割振りモジュール６１５、および／または送信機モジュール６２０を含み得る。デバイス６０５は、プロセッサであり得るか、またはプロセッサを含み得る（図示せず）。これらのモジュールの各々は、互いと通信していることがある。
【００６９】
[0086]デバイス６０５の構成要素は、適用可能な機能のいくつかまたはすべてをハードウェアで実行するように適応された１つまたは複数の特定用途向け集積回路（ＡＳＩＣ）を使用して、個々にまたはまとめて実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリに組み込まれた命令を用いて実装され得る。
【００７０】
[0087]受信機モジュール６１０は、パケット、ユーザデータ、および／または様々な情報チャネル（たとえば、制御チャネル、データチャネルなど）に関連付けられた制御情報などの情報を受信し得る。たとえば、デバイス６０５が基地局１０５である場合、受信機モジュール６１０は、ＵＥ１１５にワイヤレス送信されるべきデータをコアネットワーク１３０から受信するように構成され得る。受信機モジュール６１０は、ＵＬおよびまたはＤＬトラフィックならびに／あるいは１つまたは複数のＵＥおよび／または基地局に関するＱｏＳ情報を受信し得る。たとえば、デバイス６０５が基地局１０５である場合、受信機モジュール６１０は、近隣基地局１０５のトラフィック／ＱｏＳ情報、ならびにそれ自体および／または近隣基地局によってサービスされるＵＥ１１５のトラフィック／ＱｏＳ情報を受信し得る。受信機モジュール６１０によって受信された情報は、再割振りモジュール６１５におよび／または送信機モジュール６２０に渡され得る。
【００７１】
[0088]再割振りモジュール６１５は、再割振りのために、（たとえば、デバイス６０５であり得る）第１の基地局に関連付けられたＦＤＤ動作モードにおける送信のために最初に割り振られたリソースのサブセットを識別するように構成され得る。再割振りモジュール６１５は、識別されたリソースのサブセットを第１の基地局および／または第２の基地局に関連付けられたＴＤＤ動作モードにおける送信のために再割り振りするように構成され得、第２の基地局は、第１の基地局の近隣であるおよび／または第１の基地局と非コロケートである場合もあり、そうではない場合もある。上記で説明したように、識別されたリソースのサブセットは、第１の基地局に関連付けられた物理アップリンク共有チャネル（ＰＵＳＣＨ）リソースなどの１つまたは複数のアップリンクチャネルリソースに対応し得、識別されたリソースのサブセットは、第１の基地局および／または第２の基地局からのＴＤＤ  ＤＬ送信において使用するために再割り振りされ得る。
【００７２】
[0089]送信機モジュール６２０は、デバイス６０５の他の構成要素から受信された１つまたは複数の信号を送信し得る。たとえば、デバイス６０５が基地局１０５である場合、送信機モジュール６２０は、ユーザデータをＵＥ１１５に送信し得る。送信機モジュール６２０は、ＵＥ１１５、基地局１０５および／またはコアネットワーク１３０などのうちの１つまたは複数にリソースの再割振りを通知するために、制御シグナリングをこれらの様々なエンティティにさらに送信し得る。態様では、送信機モジュール６２０は、上記で説明したように、１つまたは複数の再割り振りされたリソースを使用してデータを送信するように構成され得る。いくつかの例では、送信機モジュール６２０は、トランシーバモジュールにおいて受信機モジュール６１０とコロケートされ得る。
【００７３】
[0090]図７は、様々な例による、図１、図２、および／または図３Ｂに示すワイヤレス通信システム１００、２００、および／または３５０におけるワイヤレス通信において使用するためのデバイス６０５−ａのブロック図７００を示す。デバイス６０５−ａは、図６を参照しながら説明したデバイス６０５の１つまたは複数の態様の一例であり得る。デバイス６０５−ａは、受信機モジュール６１０−ａ、再割振りモジュール６１５−ａ、および／または送信機モジュール６２０−ａを含み得、これらのモジュールは、デバイス６０５の対応するモジュールの例であり得る。デバイス６０５−ａは、プロセッサ（図示せず）も含み得る。これらの構成要素の各々は、互いと通信していることがある。図７の再割振りモジュール６１５−ａは、分離モジュール７０５と、マッピングモジュール７１０と、通知モジュール７１５とを含み得る。受信機モジュール６１０−ａおよび送信機モジュール６２０−ａは、それぞれ、図６の受信機モジュール６１０および送信機モジュール６２０の機能を実行し得る。
【００７４】
[0091]分離モジュール７０５は、上記で説明したように、他の場合であれば再割り振りされたリソースのサブセットを利用することによって引き起こされるであろうまたは引き起こされる考えられる干渉を低減する方法で、リソースのサブセットを識別および／または再割り振りするように構成され得る。分離モジュール７０５はまた、再割り振りされたリソースのサブセットに対する以外の、ＵＬ送信およびＤＬ送信のために使用される制御および他のシグナリングに対する再割り振りされたリソースの影響を低減する方法で、リソースのサブセットを識別および／または再割り振りするように構成され得る。したがって、分離モジュール７０５は、時間（たとえば、ＴＤＭおよび／またはガード期間を使用して）、周波数（たとえば、ＦＤＭおよび／またはガード帯域を使用して）、および／または空間ロケーション（たとえば、物理的ロケーションの制約を使用して）のうちの１つまたは複数において、再割り振りされたリソースのサブセットを他の再割り振りされていないリソースから分離する際に、フレキシブルなリソース割振りを利用し得る。
【００７５】
[0092]マッピングモジュール７１０は、リソースをＵＬ物理チャネルおよび／またはＤＬ物理チャネルにマッピングするように構成され得る。本明細書で説明するように１つまたは複数のリソースのサブセットを再割り振りする過程で、再割り振りされたリソースを考慮するために、基準シンボル（ＲＳ）マッピングおよび制御シグナリングが適応される必要があり得ることを諒解されたい。一例として、物理ダウンリンク制御チャネル（ＰＤＣＣＨ）ならびにシステム情報ブロック（ＳＩＢ）、ランダムアクセス応答（ＲＡＲ）、および／またはページングのＤＬ共通制御は、動的に再割り振りされたリソース構成の代わりに、マスタ情報ブロック（ＭＩＢ）において定義されたリソース割振りに従ってマッピングされ得る。セル固有の基準信号（ＣＲＳ）は、再割り振りされたリソースに基づいてマッピングされ得る。ＵＥ固有の基準信号（ＵＥ−ＲＳ）は引き続き、割り当てられたリソースブロックに基づいてマッピングされ得、チャネル状態情報基準信号（ＣＳＩ−ＲＳ）は、ＵＥ１１５が利用可能なリソースのすべてに関するチャネル状態情報をフィードバックするのを可能にするために、リソースの動的に変化する再割振りに基づいてマッピングされ得る。
【００７６】
[0093]ＴＤＤ  ＵＬ送信がＦＤＤ  ＵＬ帯域において許可されるそれらの実施形態では、マッピングモジュール７１０は、どのリソース割振りが各物理チャネルに適用されるかを決定し得る。たとえば、物理ランダムアクセスチャネル（ＰＲＡＣＨ）および物理アップリンク制御チャネル（ＰＵＣＣＨ）は、レガシーＵＥサポートまたはＵＥがアイドルモードである可能性を考慮して、ＭＩＢ中のリソース割振り情報に基づいてマッピングされ得る。サウンディング基準信号（ＳＲＳ）の場合、マッピングはＳＲＳタイプに依存し得る。たとえば、ＭＩＢ中のリソース割振り情報はタイプ０  ＳＲＳのために使用され得、再割り振りされたリソース情報はタイプ１  ＳＲＳのために使用され得る。物理アップリンク共有チャネル（ＰＵＳＣＨ）は、動的に変化するリソース再割振り情報に基づいてマッピングされ得る。
【００７７】
[0094]まだマッピングモジュール７１０を参照すると、いくつかの実施形態では、再割り振りされたリソースのサブセットは、レガシーキャリアとともに使用するためのセカンダリコンポーネントキャリア（ＳＣＣ）の拡張キャリアを形成するためにマッピングされ得る。
【００７８】
[0095]図７の通知モジュール７１５は、分離モジュール７０５によって識別された再割り振りされたリソースのサブセットと、マッピングモジュール７１０によって決定されたマッピングとに関する制御シグナリングを、ＵＥ１１５、基地局１０５などに送信するために送信機モジュール６２０−ａに与えるように構成され得る。
【００７９】
[0096]図８は、様々な例による、図６または図７のデバイスにおいて使用するための再割振りモジュール６１５−ｂのブロック図８００を示す。再割振りモジュール６１５−ｂは、図６および図７を参照しながら上記で説明した再割振りモジュール６１５、６１５−ａの１つまたは複数の態様の一例であり得る。再割振りモジュール６１５−ｂは、分離モジュール７０５−ａと、マッピングモジュール７１０−ａと、通知モジュール７１５−ａとを含み得る。分離モジュール７０５−ａ、マッピングモジュール７１０−ａ、および通知モジュール７１５−ａは、図７を参照しながら上記で図示および説明した、それぞれのモジュールの機能を実行し得る。
【００８０】
[0097]分離モジュール７０５−ａは、ＦＤＭサブモジュール８０５、ＴＤＭサブモジュール８１０、パリティサブモジュール８１５、および／または持続時間サブモジュール８２０を含み得る。ＦＤＭサブモジュール８０５は、周波数分割多重を使用してリソースのサブセットを再割り振りするように構成され得る。たとえば、ＦＤＭサブモジュール８０５は、残りのＦＤＤ  ＵＬリソースを、１つまたは複数のガード帯域によって再割り振りされるべき識別されたリソースのサブセットから分離するように構成され得る。ＴＤＭサブモジュール８１０は、時分割多重を使用してリソースのサブセットを再割り振りするように構成され得る。ＦＤＤ  ＵＬ帯域における送信のために最初に割り振られたリソースがいくつかのＵＬサブフレームを含む場合、ＴＤＭサブモジュール８１０は、ＴＤＤ  ＤＬ送信のためのＦＤＤ  ＵＬサブフレームのサブセットを識別するように構成され得る。いくつかの例では、ＦＤＤ  ＵＬサブフレームのサブセットは、オールモストブランクサブフレーム（ＡＢＳ）に対応し得る。
【００８１】
[0098]パリティサブモジュール８１５は、上記で説明したように、ＦＤＭ再割振りにおけるリソースブロックの数のパリティが、元のＦＤＤ  ＵＬ帯域におけるリソースブロックの総数のパリティに等しいことを保証するように構成され得る。持続時間サブモジュール８２０は、図１、図３、および／または図３Ｂのワイヤレス通信システム１００、２００、および／または３５０などのシステムにおける特定のリソース割振りの持続時間またはすべてのリソース割振りの持続時間を決定および／または設定するように構成され得る。たとえば、持続時間サブモジュール８２０は、リソース再割振りをフレームごとに動的に変更し得るか、または再割振りが変化しない特定の時間期間を指定し得る。たとえば、再割振りは、再構成期間に少なくとも部分的に基づき得る。再構成期間は、Ｌ１シグナリングなどの上位レイヤシグナリングによって示されるように、８ｍｓ、１０ｍｓ、２０ｍｓ、４０ｍｓ、および／または８０ｍｓの周期で動的に決定され得る。場合によっては、再構成期間は、ＲＲＣシグナリングによって半静的に決定され得る。１つのサブフレーム中の混合ＵＬ／ＤＬの場合、ＵＬ／ＤＬ比の更新はサブフレームごとに実行され得る。いくつかの例では、第２の基地局からの送信のための識別されたリソースのサブセットは、サブフレームごとに再割り振りされ得る。たとえば、１つのサブフレーム中の混合ＵＬ／ＤＬの場合、ＵＬ／ＤＬ比の更新はサブフレームごとに実行され得る。持続時間サブモジュール８２０は、ＤＬ／ＵＬトラフィック需要、ＱｏＳ考慮事項などのうちの１つまたは複数に少なくとも部分的に基づいて、再割振り調整のタイミングを決定し得る。
【００８２】
[0099]マッピングモジュール７１０−ａは、ＤＬリソースマッピングサブモジュール８２５と、ＵＬリソースマッピングサブモジュール８３０とを含み得る。ＤＬリソースマッピングサブモジュール８２５は、ＴＤＤ  ＤＬチャネルによって使用するために再割り振りされたリソースのサブセットを含む、ＤＬリソースをマッピングするように構成され得る。ＵＬリソースマッピングサブモジュール８３０は、ＴＤＤ  ＤＬ送信のために再割り振りされていない残りのＦＤＤ  ＵＬリソースおよび／またはＴＤＤ  ＵＬによって使用するために再割り振りされたリソースを含む、ＵＬリソースをマッピングするように構成され得る。
【００８３】
[0100]通知モジュール７１５−ａは、ＵＥ通知サブモジュール８３５、および／または基地局通知サブモジュール８４０を含み得る。ＵＥ通知サブモジュール８３５は、制御シグナリングを、再割り振りされたリソースのサブセットを介してＴＤＤ  ＤＬデータを受信すべきＵＥ１１５におよび／またはＦＤＤ  ＵＬリソースが取られるＵＥに与えることによってを含め、制御シグナリングをリソースの再割振りによって影響されるＵＥ１１５に与えるように構成され得る。ＵＥ通知サブモジュール８３５は、ＵＥ固有のＲＲＣシグナリング、Ｌ１シグナリングなどを与え得る。基地局通知サブモジュール８４０は、制御シグナリングを、リソースが最初に割り振られた基地局１０５および／またはリソースが再割り振りされた基地局１０５を含む、リソースの再割振りによって影響される１つまたは複数の基地局１０５に与えるように構成され得る。
【００８４】
[0101]図９は、本開示の様々な態様による、ワイヤレス通信において使用するための基地局１０５−ｂ（たとえば、ｅＮＢの一部または全部を形成する基地局）のブロック図９００を示す。いくつかの例では、基地局１０５−ｂは、図１および図２を参照しながら説明した基地局１０５のうちの１つまたは複数の態様、ならびに／あるいは、図６および図７を参照しながら説明した、基地局として構成されたときのデバイス６０５のうちの１つまたは複数の態様の一例であり得る。
【００８５】
[0102]基地局１０５−ｂは、基地局プロセッサモジュール９１０、基地局メモリモジュール９２０、（たとえば、基地局トランシーバモジュール９５０によって表される）少なくとも１つの基地局トランシーバモジュール、（たとえば、基地局アンテナ９５５によって表される）少なくとも１つの基地局アンテナ、および／または再割振りモジュール６１５−ｃを含み得る。基地局１０５−ｂはまた、基地局通信モジュール９３０および／またはネットワーク通信モジュール９４０のうちの１つまたは複数を含み得る。これらのモジュールの各々は、１つまたは複数のバス９３５を介して、直接的にまたは間接的に互いと通信していることがある。
【００８６】
[0103]基地局メモリモジュール９２０は、ランダムアクセスメモリ（ＲＡＭ）および／または読取り専用メモリ（ＲＯＭ）を含み得る。基地局メモリモジュール９２０は、実行されると、ワイヤレス通信に関する本明細書で説明する様々な機能（たとえば、ＦＤＤ  ＵＬリソースのサブセットのＴＤＤ  ＤＬ送信への再割振りなど）を基地局プロセッサモジュール９１０に実行させるように構成された命令を含むコンピュータ可読、コンピュータ実行可能ソフトウェア／ファームウェアコード９２５を記憶し得る。代替的に、コンピュータ可読、コンピュータ実行可能ソフトウェア／ファームウェアコード９２５は、基地局プロセッサモジュール９１０によって直接的に実行可能ではないことがあるが、（たとえば、コンパイルされ実行されると）本明細書で説明する様々な機能を基地局１０５−ｂに実行させるように構成され得る。
【００８７】
[0104]基地局プロセッサモジュール９１０は、インテリジェントハードウェアデバイス、たとえば、中央処理ユニット（ＣＰＵ）、マイクロコントローラ、ＡＳＩＣなどを含み得る。基地局プロセッサモジュール９１０は、基地局トランシーバモジュール９５０、基地局通信モジュール９３０、および／またはネットワーク通信モジュール９４０を通して受信された情報を処理し得る。基地局プロセッサモジュール９１０はまた、基地局アンテナ９５５を通した送信のために基地局トランシーバモジュール９５０に送られるべき情報、１つもしくは複数の他の基地局１０５−ｃおよび１０５−ｄへの送信のために基地局通信モジュール９３０に送られるべき情報、ならびに／または、図１を参照しながら説明したコアネットワーク１３０の１つもしくは複数の態様の一例であり得るコアネットワーク９４５への送信のためにネットワーク通信モジュール９４０に送られるべき情報を処理し得る。基地局プロセッサモジュール９１０は、単独でまたは再割振りモジュール６１５−ｃとともに、ＦＤＤ  ＵＬリソースからＴＤＤ  ＤＬリソースへの再割振りリソースの様々な態様を扱い得る。
【００８８】
[0105]基地局トランシーバモジュール９５０は、パケットを変調し、被変調パケットを送信のために基地局アンテナ９５５に与え、基地局アンテナ９５５から受信されたパケットを復調するように構成されたモデムを含み得る。基地局トランシーバモジュール９５０は、いくつかの例では、１つまたは複数の基地局送信機モジュールおよび１つまたは複数の別個の基地局受信機モジュールとして実装され得る。基地局トランシーバモジュール９５０は、第１の無線周波数スペクトル帯域および／または第２の無線周波数スペクトル帯域における通信をサポートし得る。基地局トランシーバモジュール９５０は、アンテナ９５５を介して、図１および図２を参照しながら説明したＵＥ１１５のうちの１つまたは複数など、１つまたは複数のＵＥまたは装置と双方向に通信するように構成され得る。基地局１０５−ｂは、たとえば、複数の基地局アンテナ９５５（たとえば、アンテナアレイ）を含み得る。基地局１０５−ｂは、ネットワーク通信モジュール９４０を通してコアネットワーク９４５と通信し得る。基地局１０５−ｂはまた、基地局通信モジュール９３０を使用して、基地局１０５−ｃおよび１０５−ｄなどの他の基地局と通信し得る。
【００８９】
[0106]基地局再割振りモジュール６１５−ｃは、リソースの再割振りに関する、図６〜図８を参照しながら説明した特徴および／または機能のいくつかまたはすべてを実行および／または制御するように構成され得る。いくつかの例では、基地局再割振りモジュール６１５−ｃは、基地局１０５−ｂに関連付けられたＦＤＤ  ＵＬ送信のために最初に割り振られたリソースを識別し、図９の基地局１０５−ｃもしくは基地局１０５−ｄなどの異なる基地局に関連付けられたＴＤＤ  ＤＬ送信に再割り振りするか、またはその逆を行うように構成された分離モジュール７０５−ｂを含み得る。基地局再割振りモジュール６１５−ｃは、リソースの再割振りに関する制御シグナリングをＵＥに与えるように構成されたＵＥ通知サブモジュール８３５を含み得る。再割振りモジュール６１５−ｃは、リソースの再割振りに関する制御シグナリングを別の基地局（たとえば、図９の基地局１０５−ｃ、１０５−ｄのうちの一方または両方）に与えるように構成され得る基地局通知サブモジュール８４０を含み得る。
【００９０】
[0107]再割振りモジュール６１５−ｃ、または再割振りモジュール６１５−ｃの部分は、プロセッサを含み得、ならびに／あるいは、再割振りモジュール６１５−ｃの機能のいくつかまたはすべては、基地局プロセッサモジュール９１０によっておよび／または基地局プロセッサモジュール９１０とともに実行され得る。いくつかの例では、再割振りモジュール６１５−ｃは、図６および／または図７を参照しながら説明した再割振りモジュール６１５の一例であり得る。場合によっては、基地局１０５−ｂの構成要素および／またはモジュールのうちの１つまたは複数は、１つまたは複数の周波数分割複信リソース上でのフレキシブル送信のための本明細書で説明する動作を実行するように構成され得る。たとえば、基地局１０５−ｂの構成要素および／またはモジュールのうちの１つまたは複数は、図１１に示す動作、図１２に示す動作および／または図１４に示す動作を実行するように構成され得る。
【００９１】
[0108]図１０は、様々な例による、ワイヤレス通信において使用するためのＵＥ１１５−ｂのブロック図１０００を示す。いくつかの例では、ＵＥ１１５−ｂは、図１および図２を参照しながら説明したＵＥ１１５のうちの１つまたは複数の態様の一例であり得る。
【００９２】
[0109]ＵＥ１１５−ｂは、概して、通信を送信するための構成要素と、通信を受信するための構成要素とを含む、双方向の音声およびデータ通信のための構成要素を含み得る。ＵＥ１１５−ｂは、各々が（たとえば、１つまたは複数のＵＥバス１０４５を介して）直接的にまたは間接的に互いと通信し得る、１つまたは複数のＵＥアンテナ１０４０と、ＵＥトランシーバモジュール１０３５と、ＵＥプロセッサモジュール１００５と、（たとえば、コンピュータ可読、コンピュータ実行可能ソフトウェア／ファームウェアコード１０２０を含む）ＵＥメモリ１０１５とを含み得る。ＵＥトランシーバモジュール１０３５は、上記で説明したように、ＵＥアンテナ１０４０および／または１つもしくは複数のワイヤードもしくはワイヤレスリンクを介して、１つまたは複数のネットワークと双方向に通信するように構成され得る。たとえば、ＵＥトランシーバモジュール１０３５は、図１、図２および図６〜図９を参照しながら上記で説明した基地局１０５と双方向に通信するように構成され得る。ＵＥトランシーバモジュール１０３５は、パケットを変調し、被変調パケットを送信のためにＵＥアンテナ１０４０に与え、ＵＥアンテナ１０４０から受信されたパケットを復調するように構成されたモデムを含み得る。いくつかの実施形態では、ＵＥ１１５−ｂは単一のＵＥアンテナを含み得るが、他の実施形態では、ＵＥ１１５−ｂは、複数のワイヤレス送信を同時並行して送信および／または受信することが可能な複数のＵＥアンテナを有し得る。ＵＥトランシーバモジュール１０３５は、複数のコンポーネントキャリアを介して、１つまたは複数の基地局１０５と同時並行して通信することが可能であり得る。
【００９３】
[0110]ＵＥ１１５−ｂは、リソースの再割振りに関する制御シグナリングを受信するように構成され得る再割振り制御シグナリングモジュール１０７０を含み得る。再割振り制御シグナリングモジュール１０７０は、たとえば、基地局１０５のＵＥ通知サブモジュール８３５および／またはコアネットワーク１３０から制御シグナリングを受信し得る。ＵＥ１１５−ｂはまた、それ自体が使用するためにリソースが再割り振りされた場合は再割り振りされたリソースを利用するか、または、別のＵＥが使用するためにリソースが再割り振りされた場合は再割り振りされたリソースを利用しないように構成されたリソース利用モジュール１０７５を含み得る。
【００９４】
[0111]ＵＥメモリ１０１５は、ＲＡＭおよび／またはＲＯＭを含み得る。ＵＥメモリ１０１５は、実行されると、本明細書で説明する様々な機能（たとえば、リソース再割振り制御シグナリングを受信し、処理するなど）をＵＥプロセッサモジュール１００５に実行させるように構成された命令を含むコンピュータ可読、コンピュータ実行可能ソフトウェア／ファームウェアコード１０２０を記憶し得る。代替的に、コンピュータ可読、コンピュータ実行可能ソフトウェア／ファームウェアコード１０２０は、ＵＥプロセッサモジュール１００５によって直接的に実行可能ではないことがあるが、（たとえば、コンパイルされ実行されると）本明細書で説明する機能をコンピュータに実行させるように構成され得る。ＵＥプロセッサモジュール１００５は、インテリジェントハードウェアデバイス、たとえば、ＣＰＵ、マイクロコントローラ、ＡＳＩＣなどを含み得る。場合によっては、ＵＥ１１５−ｂの構成要素および／またはモジュールのうちの１つまたは複数は、１つまたは複数の周波数分割複信リソース上でのフレキシブル送信のための本明細書で説明する動作を実行するように構成され得る。たとえば、ＵＥ１１５−ｂの構成要素および／またはモジュールのうちの１つまたは複数は、図１３に示す動作を実行するように構成され得る。
【００９５】
[0112]図１１は、本開示の様々な態様による、ワイヤレス通信のための方法１１００の一例を示すフローチャートである。明快にするために、方法１１００は、図１〜図９を参照しながら説明した基地局１０５および／またはコアネットワーク１３０のうちの１つまたは複数の態様を参照しながら以下で説明される。いくつかの例では、基地局１０５および／またはコアネットワーク１３０は、以下で説明する機能を実行するように機能要素を制御するためのコードの１つまたは複数のセットを実行し得る。追加または代替として、基地局１０５および／またはコアネットワーク１３０は、専用ハードウェアを使用して、以下で説明する機能のうちの１つまたは複数を実行し得る。
【００９６】
[0113]ブロック１１０５において、方法１１００は、再割振りのために、第１の基地局に関連付けられたＦＤＤ動作モードにおける送信のために最初に割り振られたリソースのサブセットを識別することを含み得る。ブロック１１１０において、方法１１００は、識別されたリソースのサブセットを第２の基地局に関連付けられたＴＤＤ動作モードにおける送信のために再割り振りすることを含み得る。いくつかの例では、第２の基地局は、第１の基地局と同じキャリア周波数上で動作するピコｅノードＢであり得る。識別されたリソースのサブセットを第２の基地局に関連付けられたＴＤＤ動作モードにおける送信のために再割り振りすることは、識別されたリソースのサブセットを第２の基地局に関連付けられたＴＤＤ動作モードにおけるＤＬ送信のために再割り振りすることを含み得る。いくつかの例では、識別されたリソースのサブセットは、ＦＤＤ  ＵＬ帯域幅の中央部分を含み得る。
【００９７】
[0114]ブロック１１０５および１１１０における動作は、上記で説明したように、再割振りモジュール６１５、分離モジュール７０５、および／またはマッピングモジュール７１０のうちの１つまたは複数を使用して実行され得る。
【００９８】
[0115]このようにして、方法１１００はワイヤレス通信を提供し得る。方法１１００は一実装形態にすぎず、方法１１００の動作は、他の実装形態が可能であるように再構成されるか、または場合によっては修正され得ることに留意されたい。
【００９９】
[0116]図１２は、本開示の様々な態様による、ワイヤレス通信のための方法１２００の一例を示すフローチャートである。明快にするために、方法１２００は、図１〜図９を参照しながら説明した基地局１０５および／またはコアネットワーク１３０のうちの１つまたは複数の態様を参照しながら以下で説明される。いくつかの例では、基地局１０５および／またはコアネットワーク１３０は、以下で説明する機能を実行するように機能要素を制御するためのコードの１つまたは複数のセットを実行し得る。追加または代替として、基地局１０５および／またはコアネットワーク１３０は、専用ハードウェアを使用して、以下で説明する機能のうちの１つまたは複数を実行し得る。
【０１００】
[0117]ブロック１２０５において、方法１２００は、制御シグナリングを、再割り振りされたリソースのサブセットを介してデータを受信すべきＵＥに送信することを含み得る。態様では、ブロック１２１０において、方法は、制御シグナリングを、再割り振りされたリソースのサブセットを介してデータをＵＥに送信すべき第２の基地局に送信することを含み得る。
【０１０１】
[0118]ブロック１２０５および１２１０における動作は、それぞれ、図８を参照しながら上記で説明したように、ＵＥ通知サブモジュール８３５および基地局通知サブモジュール８４０を使用して実行され得る。いくつかの実施形態では、方法１２００における動作は、図１１に示す方法１１００における動作の後に実行され得る。
【０１０２】
[0119]このようにして、方法１２００はワイヤレス通信を提供し得る。方法１２００は一実装形態にすぎず、方法１２００の動作は、他の実装形態が可能であるように再構成されるか、または場合によっては修正され得ることに留意されたい。
【０１０３】
[0120]図１３は、本開示の様々な態様による、ワイヤレス通信のための方法１３００の一例を示すフローチャートである。明快にするために、方法１３００は、図１〜図３および／または図１０を参照しながら説明したＵＥ１１５のうちの１つまたは複数の態様を参照しながら以下で説明される。いくつかの例では、ＵＥ１１５は、以下で説明する機能を実行するように機能要素を制御するためのコードの１つまたは複数のセットを実行し得る。
【０１０４】
[0121]ブロック１３０５において、方法１３００は、ダウンリンク送信がＵＥ１１５によって受信される、第１の基地局に関連付けられたＦＤＤ動作モードにおける送信のために最初に割り振られたリソースの再割振りに関する制御シグナリングを受信することを含み得る。制御シグナリングは、ＲＲＣシグナリングおよび／またはＬ１シグナリングを含み得る。いくつかの例では、第２の基地局は、ＤＬ送信のためにＵＬスペクトルを利用するＦＤＤ  ＵＬ周波数帯域上のリソースを使用するように構成されたＴＤＤセルに関連付けられ得る。ＦＤＤ  ＤＬがＰＣＣ用に構成されるキャリアアグリゲーション実装形態では、第２の基地局（たとえば、ＴＤＤセル）は、追加の無線リソースをＤＬ送信に与えるために、ＳＣｅｌｌとして構成され得る。ＦＤＤ  ＤＬトラフィックがバーストである場合、第１の基地局、第２の基地局などは、ＤＬ送信において使用するための追加のリソースを構成し得る。いくつかの実施形態では、ＴＤＤ  ＳＣｅｌｌは、ＭＡＣシグナリングによってアクティブ化または非アクティブ化され得る。ＴＤＤ  ＳＣｅｌｌがアクティブ化される場合、ＵＥは、たとえば、無線フレームごとにＵＬ周波数帯域におけるＤＬサブフレームのロケーションについてＬ１シグナリングを監視し得る。
【０１０５】
[0122]ブロック１３１０において、方法１３００は、再割り振りされたリソースを介してＴＤＤ動作モードにおいて第２の基地局からダウンリンク送信を受信することを含み得る。再割り振りされたリソースは、第１の基地局からのＦＤＤ  ＵＬ送信のために最初に割り振られた帯域幅の中央部分を含み得る。
【０１０６】
[0123]ブロック１３０５および１３１０における動作は、それぞれ、図１０を参照しながら上記で説明したように、再割振り制御シグナリングモジュール１０７０およびリソース利用モジュール１０７５を使用して実行され得る。
【０１０７】
[0124]このようにして、方法１３００はワイヤレス通信を提供し得る。方法１３００は一実装形態にすぎず、方法１３００の動作は、他の実装形態が可能であるように再構成されるか、または場合によっては修正され得ることに留意されたい。
【０１０８】
[0125]いくつかの例では、方法１１００、１２００、１３００のうちの２つ以上からの態様が組み合わせられ得る。方法１１００、１２００、１３００は例示的な実装形態にすぎず、方法１１００、１２００、１３００の動作は、他の実装形態が可能であるように再構成されるか、または場合によっては修正され得ることに留意されたい。
【０１０９】
[0126]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、アンライセンスおよび／または共有の帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１１０】
[0127]添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味しない。発明を実施するための形態は、説明する技法の理解を与えるための具体的な詳細を含む。ただし、これらの技法は、これらの具体的な詳細なしに実践され得る。場合によっては、説明する例の概念を不明瞭にすることを回避するために、よく知られている構造および装置はブロック図の形態で示されている。
【０１１１】
[0128]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１１２】
[0129]本明細書の本開示に関して説明する様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装され得る。
【０１１３】
[0130]本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、１つまたは複数の命令またはコードとしてコンピュータ可読媒体上に記憶されるか、またはコンピュータ可読媒体を介して送信され得る。他の例および実装形態は、本開示の範囲および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理ロケーションにおいて実装されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が単一のメンバーを含むそれらの項目の任意の組合せを指すような選言的列挙を示す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１１４】
[0131]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、レーザーを用いてデータを光学的に再生する。上記の組合せもコンピュータ可読媒体の範囲内に含まれる。
【０１１５】
[0132]本開示の前述の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明する例および設計に限定されるべきでなく、本明細書で開示する原理および新規の特徴に一致する最も広い範囲を与えられるべきである。
以下に本願の出願当初の特許請求の範囲に記載された発明を付記する。
［Ｃ１］
ネットワークエンティティによるワイヤレス通信のための方法であって、
再割振りのために、第１の基地局に関連付けられた周波数分割複信（ＦＤＤ）動作モードにおける送信のために最初に割り振られたリソースのサブセットを識別することと、    前記識別されたリソースのサブセットを第２の基地局に関連付けられた時分割複信（ＴＤＤ）動作モードにおける送信のために再割り振りすることと
を備える方法。
［Ｃ２］
前記第２の基地局が、前記第１の基地局と同じキャリア周波数上で動作するピコｅノードＢを備える、Ｃ１に記載の方法。
［Ｃ３］
前記識別されたリソースのサブセットが、ＦＤＤモードアップリンク（ＵＬ）帯域幅の中央部分を備え、
前記第２の基地局に関連付けられた前記ＴＤＤ動作モードにおける前記送信が、ＴＤＤモードダウンリンク（ＤＬ）送信である、
Ｃ１に記載の方法。
［Ｃ４］
前記第１の基地局に関連付けられた前記ＦＤＤ動作モードにおける送信のために最初に割り振られた前記識別されたリソースのサブセットが、１つまたは複数の物理アップリンク共有チャネル（ＰＵＳＣＨ）リソースに対応する、Ｃ１に記載の方法。
［Ｃ５］
前記第１の基地局に関連付けられた前記ＦＤＤ動作モードにおける送信のために割り振られた残りのアップリンク（ＵＬ）リソースを前記識別されたリソースのサブセットから分離するために、１つまたは複数のガード帯域を用いること
をさらに備える、Ｃ４に記載の方法。
［Ｃ６］
前記識別されたリソースのサブセットを前記第２の基地局に関連付けられた前記ＴＤＤ動作モードにおける送信のために再割り振りすることが、前記識別されたリソースのサブセットを前記第２の基地局に関連付けられた前記ＴＤＤ動作モードにおけるダウンリンク（ＤＬ）送信のために再割り振りすることを備える、Ｃ１に記載の方法。
［Ｃ７］
前記第１の基地局に関連付けられた前記ＦＤＤ動作モードにおけるアップリンク（ＵＬ）送信のために最初に割り振られた追加のリソースを、変化するトラフィック需要に基づいて、前記第２の基地局に関連付けられた前記ＴＤＤ動作モードにおけるダウンリンク（ＤＬ）送信のために動的に再割り振りすること
をさらに備える、Ｃ１に記載の方法。
［Ｃ８］
制御シグナリングを、前記再割り振りされたリソースのサブセットを介してデータを受信すべきユーザ機器（ＵＥ）に送信すること
をさらに備える、Ｃ１に記載の方法。
［Ｃ９］
前記制御シグナリングが、無線リソース制御（ＲＲＣ）シグナリングおよびＬ１シグナリングのうちの少なくとも１つを使用して送信される、Ｃ８に記載の方法。
［Ｃ１０］
前記第２の基地局のＣＲＳ、ＣＳＩ−ＲＳ、ＰＤＣＣＨまたはＰＤＳＣＨのうちの少なくとも１つを前記再割り振りされたリソースのサブセットにマッピングさせること
をさらに備える、Ｃ１に記載の方法。
［Ｃ１１］
前記第１の基地局に関連付けられた前記ＦＤＤ動作モードにおける送信のために最初に割り振られた前記リソースのサブセットが、複数の予約済みサブフレームを備え、前記識別されたリソースのサブセットが、前記複数の予約済みサブフレームのサブセットを備える、Ｃ１に記載の方法。
［Ｃ１２］
前記予約済みサブフレームが、前記第１の基地局に関連付けられたオールモストブランクサブフレーム（ＡＢＳ）に対応する、Ｃ１１に記載の方法。
［Ｃ１３］
前記識別されたリソースのサブセットの１つまたは複数の部分が、時間期間、アップリンク（ＵＬ）制御要件、ＵＬトラフィック要件、ダウンリンク（ＤＬ）制御要件、ＤＬトラフィック要件、およびサービス品質要件のうちの少なくとも１つに基づいて再割り振りされる、Ｃ１１に記載の方法。
［Ｃ１４］
前記第１の基地局に関連付けられた前記ＦＤＤ動作モードにおける送信のために最初に割り振られた前記識別されたリソースのサブセットが、前記第１の基地局に関連付けられた送信のために最初に割り振られたアップリンク（ＵＬ）サブフレームに関連付けられた１つまたは複数のシンボルを含む、Ｃ１に記載の方法。
［Ｃ１５］
前記第１の基地局に関連付けられた前記ＦＤＤ動作モードにおける送信のために最初に割り振られた前記識別されたリソースのサブセットが、１つのＵＬサブフレームに関連付けられた１つまたは複数のシンボルを含み、前記識別することおよび前記再割り振りすることが、サブフレームごとに実行され、前記再割り振りすることが、ＵＬ制御要件、ＵＬトラフィック要件、ＤＬ制御要件、ＤＬトラフィック要件、およびサービス品質要件のうちの少なくとも１つに基づく、Ｃ１４に記載の方法。
［Ｃ１６］
前記第２の基地局からの前記送信のための前記再割り振りされたリソースのサブセットが、レガシーキャリアとともに使用するためのセカンダリコンポーネントキャリアの拡張キャリアを形成する、Ｃ１に記載の方法。
［Ｃ１７］
前記第２の基地局が、前記第１の基地局と隣接するキャリア周波数上で動作するｅノードＢを備え、前記再割振りが、ＴＤＤ動作モードにおける前記第２の基地局に関連付けられた送信を前記第１の基地局に関連付けられた送信から分離するための所望のガード帯域に基づく、Ｃ１に記載の方法。
［Ｃ１８］
前記第２の基地局が、前記第１の基地局と同じキャリア周波数上で動作するｅノードＢまたは前記第１の基地局と隣接するキャリア周波数上で動作するｅノードＢを備える、Ｃ１に記載の方法。
［Ｃ１９］
ワイヤレス通信のための装置であって、
プロセッサと、
前記プロセッサと電子通信しているメモリと、
前記メモリに記憶された１つまたは複数の命令とを備え、前記１つまたは複数の命令が、前記プロセッサによって、
再割振りのために、第１の基地局に関連付けられた周波数分割複信（ＦＤＤ）動作モードにおける送信のために最初に割り振られたリソースのサブセットを識別し、
前記識別されたリソースのサブセットを第２の基地局に関連付けられた時分割複信（ＴＤＤ）動作モードにおける送信のために再割り振りする
ように実行可能である、
装置。
［Ｃ２０］
前記識別されたリソースのサブセットが、ＦＤＤモードアップリンク（ＵＬ）帯域幅の中央部分を備え、
前記ＴＤＤ動作モードにおける前記第２の基地局に関連付けられた前記送信が、ＴＤＤモードダウンリンク（ＤＬ）送信である、
Ｃ１９に記載の装置。
［Ｃ２１］
前記ＦＤＤ動作モードにおける前記第１の基地局に関連付けられた送信のために最初に割り振られた前記識別されたリソースのサブセットが、１つまたは複数の物理アップリンク共有チャネル（ＰＵＳＣＨ）リソースに対応する、Ｃ１９に記載の装置。
［Ｃ２２］
前記メモリが、前記プロセッサによって、
前記第１の基地局に関連付けられた前記ＦＤＤ動作モードにおける送信のために割り振られた残りのアップリンク（ＵＬ）リソースを前記識別されたリソースのサブセットから分離するために、１つまたは複数のガード帯域を用いる
ように実行可能である１つまたは複数の命令をさらに備える、Ｃ２１に記載の装置。
［Ｃ２３］
前記識別されたリソースのサブセットを前記第２の基地局に関連付けられた前記時分割複信（ＴＤＤ）動作モードにおける送信のために再割り振りするための前記１つまたは複数の命令が、前記識別されたリソースのサブセットを前記第２の基地局に関連付けられた前記時分割複信（ＴＤＤ）動作モードにおけるダウンリンク（ＤＬ）送信のために再割り振りするための１つまたは複数の命令を備える、Ｃ１９に記載の装置。
［Ｃ２４］
前記メモリが、前記プロセッサによって、
制御シグナリングを、前記再割り振りされたリソースのサブセットを介してデータを受信すべきユーザ機器（ＵＥ）に送信する
ように実行可能である１つまたは複数の命令をさらに備える、Ｃ１９に記載の装置。
［Ｃ２５］
前記第１の基地局に関連付けられた前記ＦＤＤ動作モードにおける送信のために最初に割り振られた前記リソースのサブセットが、複数の予約済みサブフレームを備え、前記識別されたリソースのサブセットが、前記複数の予約済みサブフレームのサブセットを備える、Ｃ１９に記載の装置。
［Ｃ２６］
前記メモリが、前記プロセッサによって、
時間期間、アップリンク（ＵＬ）制御要件、ＵＬトラフィック要件、ダウンリンク（ＤＬ）制御要件、ＤＬトラフィック要件、およびサービス品質要件のうちの少なくとも１つに基づいて、前記識別されたリソースのサブセットを再割り振りする
ように実行可能である１つまたは複数の命令をさらに備える、Ｃ２５に記載の装置。
［Ｃ２７］
前記第１の基地局に関連付けられた前記ＦＤＤ動作モードにおける送信のために最初に割り振られた前記識別されたリソースのサブセットが、前記第１の基地局に関連付けられた送信のために最初に割り振られたアップリンク（ＵＬ）サブフレームに関連付けられた１つまたは複数のシンボルを含む、Ｃ１９に記載の装置。
［Ｃ２８］
ユーザ機器（ＵＥ）によるワイヤレス通信のための方法であって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信することと、
再割り振りされたリソースを介して時分割複信（ＴＤＤ）動作モードにおいて第２の基地局からダウンリンク送信を受信することと
を備える方法。
［Ｃ２９］
前記ＦＤＤ動作モードにおける前記ＵＥからの、前記第１の基地局に関連付けられたＵＬ送信のために最初に割り振られた前記リソースが、前記ＵＥから前記第１の基地局へのＦＤＤ  ＵＬ送信のためのＵＬ帯域幅の中央部分を備える、Ｃ２８に記載の方法。
［Ｃ３０］
ワイヤレス通信のための装置であって、
プロセッサと、
前記プロセッサと電子通信しているメモリと、
前記メモリに記憶された１つまたは複数の命令とを備え、前記１つまたは複数の命令が、前記プロセッサによって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信し、
再割り振りされたリソースを介して時分割複信（ＴＤＤ）動作モードにおいて第２の基地局からダウンリンク送信を受信する
ように実行可能である、
装置。
【図１】
0006672271.tif 000003
【図２】
0006672271.tif 000004
【図３Ａ】
0006672271.tif 000005
【図３Ｂ】
0006672271.tif 000006
【図４Ａ】
0006672271.tif 000007
【図４Ｂ】
0006672271.tif 000008
【図４Ｃ】
0006672271.tif 000009
【図４Ｄ】
0006672271.tif 000010
【図４Ｅ】
0006672271.tif 000011
【図５】
0006672271.tif 000012
【図６】
0006672271.tif 000013
【図７】
0006672271.tif 000014
【図８】
0006672271.tif 000015
【図９】
0006672271.tif 000016
【図１０】
0006672271.tif 000017
【図１１】
0006672271.tif 000018
【図１２】
0006672271.tif 000019
【図１３】
0006672271.tif 000020